(57)【要約】【課題】断熱材入りのパネル端部の段差部同士を組合せしながら段差部の冷気シールによって断熱箱体を形成する冷蔵庫に関し、製造コストを下げ、貯蔵室内の冷却性能を安定させ、安価で丈夫な断熱箱体を提供する。【解決手段】貯蔵室２７は断熱材２２入りのパネルを組合せた前面に開口した断熱箱体２８内に設け、断熱材２２入りのパネル端部に段差部４４と段差部４４の隅４５に溝を形成し、段差部４４同士の組合せと段差部４４隅の溝４５に粘着性シール材５５を塗布したことにより、組立てを簡単にし、強度を向上し、段差部４４合わせ面からの冷気洩れを防止し、安く造り、貯蔵室２７内温度の安定化を図り、丈夫な断熱箱体とすることができる。【選択図】図２
2005180718.tif 000002
【特許請求の範囲】
【請求項１】
組立式の箱体からなる冷蔵庫本体が、断熱材入りの上面パネルと、底面パネルと、左右の側面パネルと、背面パネルとから構成され、各パネルの端部に段差部と、前記段差部の隅に溝と、前記溝に粘着性シール材とで、端部の前記段差部同士を組合せ一体に構成されてなることを特徴とする冷蔵庫。
【請求項２】
断熱材入りの前記上面パネル、前記底面パネル、前記左右の側面パネル、前記背面パネルにおいて、端部を折り曲げた外板と、端部に前記段差部と、前記段差部の隅に前記溝とを一体に設けた外板より幅の狭いプラスチック製の内板と、前記外板と前記内板との間にスペーサーと、断熱材とで一体に形成したことを特徴とする請求項１に記載の冷蔵庫。
【請求項３】
断熱材入りの前記上面パネル、前記底面パネル、前記左右の側面パネル、前記背面パネルにおいて、端部を前記折り曲げた外板と、前記外板より幅の狭い前記内板と、前記外板と前記内板の外周部にプラスチック製の薄板をＺ型に曲げ１箇所の隅に前記溝とを設けた仕切り板と、前記外板と前記内板との間に前記スペーサーと、前記断熱材とで、前記外板と前記内板の端部に前記仕切り板により前記段差部とを一体に形成したことを特徴とする請求項１に記載の冷蔵庫。
【請求項４】
断熱材入りの前記上面パネル、前記底面パネル、前記左右の側面パネル、前記背面パネルにおいて、端部を前記折り曲げた外板と、前記外板より幅の狭い前記内板と、前記外板と前記内板の外周部にフィルム状のシートと、前記外板と前記内板との間に前記スペーサーと、前記断熱材とで、前記内板外周部のフィルム状の前記シートを断熱材発泡時の押さえ冶具により前記外板と前記内板との端部に前記段差部と、前記段差部の隅に前記溝とを一体に形成したことを特徴とする請求項１に記載の冷蔵庫。
【請求項５】
断熱材入りの前記上面パネル、前記底面パネル、前記左右の側面パネル、前記背面パネルにおいて、端部を前記折り曲げた外板と、前記外板より幅の狭い前記内板と、前記内板に挿入した各パネル合わせ部目隠し用のシールサッシュと、前記外板と前記内板に挿入した前記シールサッシュの外周部にフィルム状の前記シートと、前記外板と前記内板との間に前記スペーサーと、前記断熱材とで、前記内板に挿入した前記シールサッシュ外周部のフィルム状の前記シートを断熱材発泡時の押さえ冶具により前記外板と前記内板との端部に前記段差部と、前記段差部の隅に前記溝とを一体に形成したことを特徴とする請求項１に記載の冷蔵庫。
【請求項６】
断熱材入りの前記上面パネル、前記底面パネル、前記左右の側面パネル、前記背面パネルの各パネル端部の前記段差部同士の組合せにおいて、パネル端部の前記段差部がパネル端部に載り上がる組合せの前記上面パネル、前記底面パネルには前記外板端部をコの字状折り曲げ部と、前記コの字状折り曲げ部に前記外板の表面からの貫通孔とを備え、前記コの字状折り曲げ部内に前記貫通孔と同じ位置に設置した内部が空洞の保持ピースとを前記断熱材内に埋設した前記上面パネル、前記底面パネルと、パネル端部が前記段差部内に組合せの前記左右の側面パネル、前記背面パネルには前記外板端部をＬ字状折り曲げ部と、前記Ｌ字状折り曲げ部に孔と、内側に保持部品とを備え、前記断熱材内に埋設した前記左右の側面パネル、前記背面パネルとを、前記外板端部を前記コの字状折り曲げ部の前記貫通孔から空洞の前記保持ピース内を通し、前記Ｌ字状折り曲げ部の前記孔部内側に設けた前記保持部品に取付ける連結部品とで各パネルの端部を固定したことを特徴とする請求項１から５のいずれか一項記載の冷蔵庫。
【請求項７】
断熱材入りの前記上面パネル、前記底面パネル、前記左右の側面パネル、前記背面パネルの各パネル同士の組合せにおいて、前記上面パネルと、前記底面パネルと、前記左右の側面パネルとの前記背面パネル側の端部を、前記背面パネルの前記外板と固定する４隅部のコーナー保持板と、辺長部の辺長部保持板とを備え、各パネル同士を組合せ一体に構成されてなることを特徴とする請求項１から６のいずれか一項記載の冷蔵庫。
【請求項８】
断熱材内に真空断熱材を埋設したパネルにおいて、端部を前記折り曲げた外板と、前記外板より幅の狭い前記内板と、前記外板裏面側に前記真空断熱材と、前記内板の凹部と、前記凹部の先端を前記真空断熱材に当接して前記外板裏面側に前記真空断熱材を取付け固定し、前記断熱材とで、一体に形成したことを特徴とする請求項１から７のいずれか一項記載の冷蔵庫。
【請求項９】
断熱材内に前記真空断熱材を埋設したパネルにおいて、前記外板端部を前記コの字状折り曲げ部と、前記コの字状折り曲げ部に前記外板の表面からの前記貫通孔とを備え、前記コの字状折り曲げ部内に前記貫通孔と同じ位置に設置した内部が空洞の前記保持ピースと、前記真空断熱材の外周溶着部に取付け孔と、前記真空断熱材の前記取付け孔を内部が空洞の前記保持ピースと前記外板裏面側の前記外板の前記貫通孔との間に設け、前記断熱材とで、前記外板側内へ一体に形成したことを特徴とする請求項１から８のいずれか一項記載の冷蔵庫。
【発明の詳細な説明】
【技術分野】
【０００１】
本発明は、断熱パネルによる組立式の冷蔵庫の構造に関するものである。
【背景技術】
【０００２】
断熱パネルの組合せとしては、断熱パネルの端部の面同士を合わせて接続する組み立てなどがある。
【０００３】
しかし、これらの組合せ方法は、接続部の位置合わせに時間が掛かったり、強度的に弱く箱体として望むことは困難であった。
【０００４】
これに対して、一方の断熱パルの端部を面と係合する段部とした上、端部を固定することで位置合わせ時間を短縮でき箱体の強度を上げるようにした組合せ方法が考えられている。
【０００５】
従来この種の、冷蔵庫としては、断熱パネルの端部の面と段部を係合させながら、締結金具によって固定組み立てするもの（例えば、特許文献１参照）がある。
【０００６】
以下、図面を参照しながら上記従来の冷蔵庫を説明する。図１６は、従来の冷蔵庫の断熱箱体の一部分解斜視図である。図１７は、従来の冷蔵庫の断熱箱体の左右の側面パネルと底面パネルとの結合を示す要部正面図である。図１８は、従来の冷蔵庫の断熱箱体の左右の側面パネルと背面パネルとの結合を示す要部平面図である。
【０００７】
図１６、図１７、図１８に示すように、従来の冷蔵庫１は、ステンレス板、アルミニューム板などの金属板あるいは合成樹脂板からなる外板と内板とを所定の間隔をおいて配置し、その間に硬質発泡ウレタンフォームまたは発泡ポリスチレンのような断熱材を充填したパネルを使用して組み立てられている。
【０００８】
組み立ては、底面パネル２に、背面パネル３およびガラス扉４を有するガラス扉枠５を取付け、さらに、この背面パネル３とガラス扉枠５の上端面に上面パネル６を取付け、さらに、両側に左右の側面パネル７を取付けている。なお、底面パネル２には脚部８が固着されている。
【０００９】
左右の側面パネル７は、平らな外側面を構成する外板と凸部９をプレスで内方へ押し出した内側面を構成する内板との間にポリウレタンの発泡体を充填して構成され、凸部９の周囲の内側面１０と凸部９との境界には、底面パネル２および上面パネル６の端部と係合する上、下段部１１、および、背面パネル３およびガラス扉枠５の端部と係合する左、右段部１２を形成している。
【００１０】
左右の側面パネル７の各パネルおよびガラス扉枠５に対する取付けは、各パネルおよびガラス扉枠５の取付孔１３を介して締結金具１４により成されている。
【００１１】
底面パネル２、背面パネル３、ガラス扉枠５、上面パネル６と、左右の側面パネル７との取付けは、底面パネル２の側面１５、背面パネル３の側面１６、ガラス扉枠５の側面１７、上面パネル６の側面１８の取付孔１３からボルト１９を左右の側面パネル７の内側面の取付孔１３に当てがい、図示しないレンチ窓よりボルト１９にレンチを当てがい、ボルト１９を回動することにより、左右の側面パネル７の取付孔１３の内側に固着されたナット２０を利用して左右の側面パネル７の凸部９周囲の内側面１０に締着している。
【００１２】
以上のように構成された冷蔵庫１について、以下その動作を説明する。
【００１３】
まず、底面パネル２、背面パネル３、ガラス扉枠５、上面パネル６を組合せ後、底面パネル２の側面１５、背面パネル３の側面１６、ガラス扉枠５の側面１７、上面パネル６の側面１８の平面部と、左右の側面パネル７の凸部９の周囲の内側面１０が接合し、左右の側面パネル７の周囲の内側面１０からの凸部９外周部上、下段部１１左、右段部１２が、底面パネル２、背面パネル３、ガラス扉枠５、上面パネル６端部の内面と係合して、下方へのズレを防止する。また、冷蔵庫が周方向からの圧縮力に対して強くなるよう補強される。
【００１４】
底面パネル２、背面パネル３、ガラス扉枠５、上面パネル６、左右の側面パネル７は、取付孔１３を介し締結金具１４により締着して、冷蔵庫１の断熱箱体の役割をする。
【特許文献１】実開平３−４２９９２号公報
【発明の開示】
【発明が解決しようとする課題】
【００１５】
しかしながら、上記従来の構成は、冷蔵庫１の断熱箱体が底面パネル２と上面パネル６の端部の内面と、背面パネル３とガラス扉枠５の端部の端面とを当接して組合せ、底面パネル２の側面１５、背面パネル３の側面１６、ガラス扉枠５の側面１７、上面パネル６の側面１８の平面部と、左右の側面パネル７の凸部９の周囲の内側面１０が接合し、左右の側面パネル７の周囲の内側面１０からの凸部９外周部上、下段部１１左、右段部１２が、底面パネル２、背面パネル３、ガラス扉枠５、上面パネル６端部の内面と係合して、底面パネル２、背面パネル３、ガラス扉枠５、上面パネル６、左右の側面パネル７は取付孔１３を介し、締結金具１４により左右の側面パネル７の個所で締着した構成であるため、底面パネル２、背面パネル３、ガラス扉枠５、上面パネル６同士の組合せ当接部は、締結金具１４による締着をしていないので、冷蔵庫１の冷却による外部と内部の温度差より各パネルの変形から隙を生じ、冷気洩れを招いたり、冷蔵庫内温度が不安定になるという欠点があった。
【００１６】
本発明は従来の課題を解決するもので、底面パネル２、背面パネル３、ガラス扉枠５、上面パネル６同士の組合せ当接部の組付けにより、温度差による各パネルの変形から隙を発生することなく、また、冷気洩れを防止して、強度を上げ、冷蔵庫内温度の安定を図ることができる冷蔵庫を提供することを目的とする。
【００１７】
また、上記従来の構成は、冷蔵庫１の断熱箱体を成す、底面パネル２、背面パネル３、ガラス扉枠５、上面パネル６、左右の側面パネル７は、各パネルの端部の面により接合された構成であるため、接合部よりの冷気洩れと共に冷気の洩れた外板に結露を生じることになるという欠点があった。
【００１８】
本発明の他の目的は、底面パネル２、背面パネル３、ガラス扉枠５、上面パネル６、左右の側面パネル７の各端部の面により接合された接合部からの冷気洩れを防ぎ、冷気の洩れた外板への結露を防止して、温度の安定化と錆や腐食の防止を図ることである。
【００１９】
また、上記従来の構成は、冷蔵庫１の断熱箱体がステンレス板、アルミニューム板などの金属板あるいは合成樹脂板からなる外板と内板とを所定の間隔をおいて配置し、その間に発泡性ポリウレタンまたは発泡性ポリスチロールのような断熱材を充填したパネルを使用して組み立てられている。
【００２０】
組み立ては、底面パネル２と上面パネル６の端部の内面と、背面パネル３とガラス扉枠５の端部の端面とを当接して組合せ、底面パネル２の側面１５、背面パネル３の側面１６、ガラス扉枠５の側面１７、上面パネル６の側面１８の平面部と、左右の側面パネル７の凸部９の周囲の内側面１０が接合し、左右の側面パネル７の周囲の内側面１０からの凸部９外周部上、下段部１１左、右段部１２が、底面パネル２、背面パネル３、ガラス扉枠５、上面パネル６端部の内面と係合して、底面パネル２、背面パネル３、ガラス扉枠５、上面パネル６、左右の側面パネル７は取付孔１３を介し、締結金具１４により左右の側面パネル７の個所で締着した構成であるため、底面パネル２の側面１５、背面パネル３の側面１６、ガラス扉枠５の側面１７、上面パネル６の側面１８の平面部の外板は、冷蔵庫１庫内側に接近して組み立てられ、冷却された冷蔵庫１庫内から各パネルの外板へ熱伝導し、結露を生じることになるという欠点があった。
【００２１】
本発明の他の目的は、底面パネル２の側面１５、背面パネル３の側面１６、ガラス扉枠５の側面１７、上面パネル６の側面１８の平面部の外板からの熱伝導を防ぎ、外板への結露を防止して、温度の安定化と錆や腐食の防止を図ることである。
【００２２】
また、上記従来の構成は、底面パネル２、背面パネル３、ガラス扉枠５、上面パネル６と、左右の側面パネル７との取付けは、底面パネル２の側面１５、背面パネル３の側面１６、ガラス扉枠５の側面１７，上面パネル６の側面１８の取付孔１３からボルト１９を左右の側面パネル７の内側面の取付孔１３に当てがい、図示しないレンチ窓よりボルト１９にレンチを当てがい、ボルト１９を回動することにより、左右の側面パネル７の取付孔１３の内側に固着されたナット２０を利用して左右の側面パネル７の凸部９周囲の内側面１０に締着した構成であるため、レンチによりボルト１９を回動して固着する組み立ては、時間を要し、組み立て工数が多くなるという欠点があった。
【００２３】
本発明の他の目的は、組み立て時間を短縮して、製造コストを下げ、安価な冷蔵庫の提供を図ることである。
【００２４】
また、上記従来の構成は、断熱パネルは一般的に発泡ポリスチレンや硬質発泡ウレタンフォーム等の発泡樹脂からなるものであり、初期熱伝導率はおよそ０．０２Ｗ／ｍＫ〜０．０３５Ｗ／ｍＫである。そのため、所定の冷蔵庫内を４℃近くまで冷却を行うためには、冷蔵庫内への侵入熱量を減らすために断熱パネルの厚みを４０ｍｍ以上確保する必要があった。
【００２５】
本発明の他の目的は、厚みが同じ断熱パネルでも侵入熱量を減らし、少ない電気代で冷蔵庫内温度を保持することができる冷蔵庫の提供を図ることである。
【課題を解決するための手段】
【００２６】
上記目的を達成するために本発明の冷蔵庫は、組立式の箱体からなる冷蔵庫本体が、断熱材入りの上面パネルと、底面パネルと、左右の側面パネルと、背面パネルとから構成され、各パネルの端部に段差部と、前記段差部の隅に溝と、前記溝に粘着性シール材とで、端部の前記段差部同士を組合せ一体に構成されてなるものである。
【００２７】
これにより、各パネル端部の段差部による端部の変形防止ができ、端部の段差部同士の組合せによる合せ部の強度を確保でき、また、簡単に組合せ組立ができ、段差部隅の溝と溝部の粘着性シール材による段差部同士の組合せ面からの冷気洩れを防止でき、また冷気洩れによる結露を防止でき、強度を上げ、組み立て易くなり、冷蔵庫内温度の安定化と錆や腐食の防止を図り、製造コストを低減できる。
【００２８】
また、本発明の冷蔵庫は、断熱材入りの前記上面パネル、前記底面パネル、前記左右の側面パネル、前記背面パネルにおいて、端部を折り曲げた外板と、端部に前記段差部と、前記段差部の隅に前記溝とを一体に設けた外板より幅の狭いプラスチック製の内板と、前記外板と前記内板との間にスペーサーと、断熱材とで一体に形成したものである。
【００２９】
これにより、外板と内板の２部品だけで断熱材入りのパネルを形成でき、段差部隅の溝により粘着性シール材の塗布が容易にでき、作業がし易く、部品の低減を図れる。また、内板をプラスチック製としたので、端部の段差部から外板への熱伝導を防ぎ、外板への結露を防止して、温度の安定化と錆や腐食の防止を図ることができる。
【００３０】
また、本発明の冷蔵庫は、断熱材入りの前記上面パネル、前記底面パネル、前記左右の側面パネル、前記背面パネルにおいて、端部を前記折り曲げた外板と、前記外板より幅の狭い前記内板と、前記外板と前記内板の外周部にプラスチック製の薄板をＺ型に曲げ１箇所の隅に前記溝とを設けた仕切り板と、前記外板と前記内板との間に前記スペーサーと、前記断熱材とで、前記外板と前記内板の端部に前記仕切り板により前記段差部とを一体に形成したものである。
【００３１】
これにより、段差部隅の溝により粘着性シール材の塗布が容易にでき、作業がし易く、端部の段差部をプラスチック製の段差部にしたので、外板への熱伝導を防ぎ、外板への結露を防止して、温度の安定化と錆や腐食の防止を図ることができる。
【００３２】
また、本発明の冷蔵庫は、断熱材入りの前記上面パネル、前記底面パネル、前記左右の側面パネル、前記背面パネルにおいて、端部を前記折り曲げた外板と、前記外板より幅の狭い前記内板と、前記外板と前記内板の外周部にフィルム状のシートと、前記外板と前記内板との間に前記スペーサーと、前記断熱材とで、前記内板外周部のフィルム状の前記シートを断熱材発泡時の押さえ冶具により前記外板と前記内板との端部に前記段差部と、前記段差部の隅に前記溝とを一体に形成したものである。
【００３３】
これにより、段差部隅の溝により粘着性シール材の塗布が容易にでき、作業がし易く、端部の段差部をフィルム状のシートの段差部にしたので、外板への熱伝導を防ぎ、外板への結露を防止して、温度の安定化と錆や腐食の防止を図ることができる。また、安価なフィルム状のシートとしたので、製造コストを低減できる。
【００３４】
また、本発明の冷蔵庫は、断熱材入りの前記上面パネル、前記底面パネル、前記左右の側面パネル、前記背面パネルにおいて、端部を前記折り曲げた外板と、前記外板より幅の狭い前記内板と、前記内板に挿入した各パネル合わせ部目隠し用のシールサッシュと、前記外板と前記内板に挿入した前記シールサッシュの外周部にフィルム状の前記シートと、前記外板と前記内板との間に前記スペーサーと、前記断熱材とで、前記内板に挿入した前記シールサッシュ外周部のフィルム状の前記シートを断熱材発泡時の押さえ冶具により前記外板と前記内板との端部に前記段差部と、前記段差部の隅に前記溝とを一体に形成したものである。
【００３５】
これにより、外板と、内板に挿入した各パネル合わせ部目隠し用のシールサッシュと、内板に挿入したシールサッシュの外周部にフイルム状のシートと、断熱材発泡時の押さえ冶具により外板と内板に挿入したシールサッシュの外周部の端部に段差部と、段差部の隅に溝を一体にフイルム状のシートを介して形成したので、段差部隅の溝により粘着性シール材の塗布が容易にでき、作業がし易く、端部の段差部をフィルム状のシートの段差部にしたので、外板への熱伝導を防ぎ、外板への結露を防止して、温度の安定化と錆や腐食の防止を図ることができる。また、シールサッシュにより各パネル合わせ部目隠しとしたので、各パネル合わせ部の隙を防止しでき、見映えの向上を図ることができる。
【００３６】
また、本発明の冷蔵庫は、断熱材入りの前記上面パネル、前記底面パネル、前記左右の側面パネル、前記背面パネルの各パネル端部の前記段差部同士の組合せにおいて、パネル端部の前記段差部がパネル端部に載り上がる組合せの前記上面パネル、前記底面パネルには前記外板端部をコの字状折り曲げ部と、前記コの字状折り曲げ部に前記外板の表面からの貫通孔とを備え、前記コの字状折り曲げ部内に前記貫通孔と同じ位置に設置した内部が空洞の保持ピースとを前記断熱材内に埋設した前記上面パネル、前記底面パネルと、パネル端部が前記段差部内に組合せの前記左右の側面パネル、前記背面パネルには前記外板端部をＬ字状折り曲げ部と、前記Ｌ字状折り曲げ部に孔と、内側に保持部品とを備え、前記断熱材内に埋設した前記左右の側面パネル、前記背面パネルとを、前記外板端部を前記コの字状折り曲げ部の前記貫通孔から空洞の前記保持ピース内を通し、前記Ｌ字状折り曲げ部の前記孔部内側に設けた前記保持部品に取付ける連結部品とで各パネルの端部を固定したものである。
【００３７】
これにより、各パネル端部の段差部を組合せ、また、各パネル端部の外板を連結部品により固定としたので、各パネル端部の段差部と角部が噛み合い各パネル端部の段差部による端部の変形防止ができ、端部の段差部同士の組合せによる合せ部の強度を確保でき、また、簡単に組合せ組立ができ、組み立て易くなり、製造コストを低減できる。また、冷却された内板から端部の段差部外板への熱伝導を防ぎ、外板への結露を防止して、冷蔵庫内の温度の安定化と錆や腐食の防止を図ることができる。
【００３８】
また、本発明の冷蔵庫は、断熱材入りの前記上面パネル、前記底面パネル、前記左右の側面パネル、前記背面パネルの各パネル同士の組合せにおいて、前記上面パネルと、前記底面パネルと、前記左右の側面パネルとの前記背面パネル側の端部を、前記背面パネルの前記外板と固定する４隅部のコーナー保持板と、辺長部の辺長部保持板とを備え、各パネル同士を組合せ一体に構成したものである。
【００３９】
これにより、各パネルを組合せ後、箱体の背面の４隅部のコーナー部と辺長部をコーナー保持板と、辺長部の保持板とで各パネルの外板同士接続としたので、各パネルの固定を確実にでき、各パネルの組合せ後の歪みを防止でき、冷却による変形を防ぎ組合せ面からの冷気洩れを防止でき、外板への結露を防止して、強度を上げ、冷蔵庫内の温度の安定化と錆や腐食の防止を図ることができる。
【００４０】
また、本発明の冷蔵庫は、断熱材内に真空断熱材を埋設したパネルにおいて、端部を前記折り曲げた外板と、前記外板より幅の狭い前記内板と、前記外板裏面側に前記真空断熱材と、前記内板の凹部と、前記凹部の先端を前記真空断熱材に当接して前記外板裏面側に前記真空断熱材を取付け固定し、前記断熱材とで、一体に形成したものである。
【００４１】
これにより、断熱材内に内板の凹部と、凹部の先端を真空断熱材に当接して外板裏面側に真空断熱材を取付け固定し、真空断熱材と一体に発泡したので、断熱性能を向上でき、吸熱量減により冷却消費電力量を減らすことができ、節電を図ることができる。また、固定と組み立てが簡単にでき、組み立て易く、製造コストを低減できる。
【００４２】
また、本発明の冷蔵庫は、断熱材内に前記真空断熱材を埋設したパネルにおいて、前記外板端部を前記コの字状折り曲げ部と、前記コの字状折り曲げ部に前記外板の表面からの前記貫通孔とを備え、前記コの字状折り曲げ部内に前記貫通孔と同じ位置に設置した内部が空洞の前記保持ピースと、前記真空断熱材の外周溶着部に取付け孔と、前記真空断熱材の前記取付け孔を内部が空洞の前記保持ピースと前記外板裏面側の前記外板の前記貫通孔との間に設け、前記断熱材とで、前記外板側内へ一体に形成したものである。
【００４３】
これにより、真空断熱材の外周溶着部に取付け孔を設け、外板のコの字状折り曲げ部の貫通孔と同じ位置に設置した内部が空洞の保持ピースとの間に真空断熱材外周溶着部の取付け孔を合わせ、真空断熱材と外周溶着部共に外板裏面側に固定し断熱材と一体としたので、断熱性能を向上でき、吸熱量減により冷却消費電力量を減らすことができ、節電を図ることができる。また、真空断熱材の外周溶着部の処理が簡単にでき、組み立て時間を短縮して、製造コストを低減できる。
【発明の効果】
【００４４】
本発明は、断熱材入りの上面パネルと、底面パネルと、左右の側面パネルと、背面パネルの各パネルの組合せ端部に段差部と、段差部の隅に溝と、溝に粘着性シール材を塗布し、各パネルの段差部同士を組合せた組立式の断熱箱体としたので、各パネル端部の段差部により位置合わせ固定が容易にでき、段差部による端部の変形防止ができ、段差部同士の組合せにより組合せ部の沿面距離を多く取れ端部の変形を防止でき、段差部隅の溝内に塗布した粘着性シール材により段差部同士の組合せ部のシールができ、組立て易く、各パネルの位置ズレを防止し、冷蔵庫外部から庫内への熱侵入と庫内からの冷気洩れを防止し、結露を防ぎ、製造コストの低減と、冷蔵庫内温度の安定化と錆や腐食の防止を図ることができる。
【００４５】
また、本発明は、内板の端部に段差部と、段差部の隅に溝とを一体に設けたので、外板と内板の２部品だけで断熱材入りのパネルを形成でき、段差部隅の溝により粘着性シール材の塗布が容易にでき、作業がし易く、部品の低減を図れる。また、内板をプラスチック製により端部の段差部から外板への熱伝導を防ぎ、外板への結露を防止して、錆や腐食の防止を図ることができる。また、段差部同士の組合せにより組合せ部の沿面距離を多く取れ強度を確保でき、段差部同士の組合せにより段差部隅の溝を２個所設けることができ、段差部隅の溝部への粘着性シール材の塗布により庫内からの冷気洩れを防ぎ、冷蔵庫内温度の安定化を図ることができる。
【００４６】
また、本発明は、外板と内板の外周部にプラスチック製のＺ型に曲げ１箇所の隅に溝の付いた薄板の仕切り板で端部の段差部を設け、プラスチック製の段差部にしたので、段差部隅の溝により粘着性シール材の塗布が容易にでき、組み立て易く、製造コストを低減できる。仕切り板をプラスチック製により端部の段差部から外板への熱伝導を防ぎ、外板への結露を防止して、錆や腐食の防止を図ることができる。また、段差部同士の組合せにより組合せ部の沿面距離を多く取れ強度を確保でき、段差部同士の組合せにより段差部隅の溝を２個所設けることができ、段差部隅の溝部への粘着性シール材の塗布により庫内からの冷気洩れを防ぎ、冷蔵庫内温度の安定化を図ることができる。
【００４７】
また、本発明は、外板と内板の外周部にフィルム状のシートと、断熱材発泡時の押さえ冶具により外板と内板外周部の端部に段差部と、段差部を安価なフィルム状のシートとし、段差部の隅に溝を一体にフィルム状のシートを介して形成したので、段差部隅の溝により粘着性シール材の塗布が容易にでき、金型を必要とせず、組み立て易く、製造コストを低減できる。また、段差部がフィルム状のシート製により端部の段差部から外板への熱伝導を防ぎ、外板への結露を防止して、錆や腐食の防止を図ることができる。また、段差部同士の組合せにより組合せ部の沿面距離を多く取れ強度を確保でき、段差部同士の組合せにより段差部隅の溝を２個所設けることができ、段差部隅の溝部への粘着性シール材の塗布により庫内からの冷気洩れを防ぎ、冷蔵庫内温度の安定化を図ることができる。
【００４８】
また、本発明は、外板と、内板に挿入した各パネル合わせ部目隠し用のシールサッシュと、内板に挿入したシールサッシュの外周部にフィルム状のシートと、断熱材発泡時の押さえ冶具により外板と、内板に挿入したシールサッシュの外周部の端部に段差部と、段差部を安価なフィルム状のシートとし、段差部の隅に溝を一体にフィルム状のシートを介して形成したので、段差部隅の溝により粘着性シール材の塗布が容易にでき、金型を必要とせず、組み立て易く、製造コストを低減できる。また、段差部がフィルム状のシート製により端部の段差部から外板への熱伝導を防ぎ、外板への結露を防止して、錆や腐食の防止を図ることができる。また、段差部同士の組合せにより組合せ部の沿面距離を多く取れ強度を確保でき、段差部同士の組合せにより段差部隅の溝を２個所設けることができ、段差部隅の溝部への粘着性シール材の塗布により庫内からの冷気洩れを防ぎ、冷蔵庫内温度の安定化を図ることができる。また、シールサッシュにより各パネル合わせ部の目隠しとしたので、各パネル合わせ部の隙を防止しでき、外観の見映え向上を図ることができる。
【００４９】
また、本発明は、断熱材入りのパネル端部の段差部がパネル端部に載り上がる組合せの上面パネル、底面パネルには外板端部にコの字状折り曲げ部と、外板の表面からの貫通孔と、貫通孔に合わせた内部が空洞の保持ピースとを断熱材内に埋設し、パネル端部が段差部内に組合せの左右の側面パネル、背面パネルには外板端部にＬ字状折り曲げ部と、Ｌ字状折り曲げ部に孔と、内側に保持部品とを断熱材内に埋設し、各パネルの段差部同士を組合せ連結部品によりパネル端部の段差部がパネル端部に載り上がるパネル外板の表面からの貫通孔から内部が空洞の保持ピース内を通し、パネル端部が段差部内のパネル内側の保持部品に各パネルの段差部同士を組合せて固着し断熱箱体としたので、各パネル端部の段差部の組合せ固定はパネルの金属製の外板同士によりパネル端部の段差部を確実に固着することができ、各パネル端部の段差部が噛み合い合わせ部の強度確保により各パネル端部段差部の冷却等による変形防止ができ、冷気洩れを防ぎ、外板への結露を防止して、冷蔵庫内の温度の安定化と錆や腐食の防止を図ることができる。また、簡単に組合せ組立ができ、組み立て易く、製造コストを低減できる。
【００５０】
また、本発明は、各パネルを組合せ後箱体の背面の４隅部のコーナー部と辺長部をコーナー保持板と、辺長部の保持板とで各パネルの外板同士を固定したので、各パネルの端部段差部の隙を防ぎ、各パネルの組合せ後の歪みを防止でき、冷却による変形を防ぎ、組合せ面からの冷気洩れを防止でき、外板への結露を防止して、強度を上げ、冷蔵庫内の温度の安定化と錆や腐食の防止を図ることができる。
【００５１】
また、本発明は、断熱材内に内板の凹部と、凹部の先端を真空断熱材に当接して外板裏面側に真空断熱材を取付け固定し、真空断熱材と一体に発泡したので、真空断熱材によりパネル内への侵入熱量を減らし断熱性能を向上でき、吸熱量減による冷却消費電力量を減らすことができ、節電を図ることができる。また、固定と組み立てが簡単にでき、組み立て易く、製造コストを低減できる。
【００５２】
また、本発明は、真空断熱材の外周溶着部に取付け孔を設け、外板のコの字状折り曲げ部の貫通孔と同じ位置に設置した内部が空洞の保持ピースとの間に真空断熱材外周溶着部の取付け孔を合わせ、真空断熱材と外周溶着部共に外板裏面側に固定し断熱材と一体としたので、真空断熱材によりパネル内への侵入熱量を減らし断熱性能を向上でき、吸熱量減により冷却消費電力量を減らすことができ、節電を図ることができる。また、真空断熱材の外周溶着部の処理が簡単にでき、固定と組み立て時間を短縮して、組み立て易く、製造コストを低減できる。
【発明を実施するための最良の形態】
【００５３】
請求項１に記載の冷蔵庫の発明は、組立式の箱体からなる冷蔵庫本体が、断熱材入りの上面パネルと、底面パネルと、左右の側面パネルと、背面パネルとから構成され、各パネルの端部に段差部と、前記段差部の隅に溝と、前記溝に粘着性シール材とで、端部の前記段差部同士を組合せ一体に構成されてなるものであり、断熱材入りの上面パネルと、底面パネルと、左右の側面パネルと、背面パネルとの各パネル端部に段差部と、段差部の隅に溝とを設け、溝に粘着性シール材とで、端部の段差部同士を組合せ一体の箱体に構成したので、各パネル端部の段差部により位置合わせ固定が容易にでき、段差部による端部の変形防止ができ、端部の段差部同士の組合せによる組合せ部の強度を確保でき、また、簡単に組合せ組立ができ、段差部隅の溝と溝部の粘着性シール材による段差部同士の組合せ面からの冷気洩れを防止でき、また冷気洩れによる結露を防止でき、強度を上げ、組み立て易くなり、冷蔵庫内温度の安定化と錆や腐食の防止を図り、製造コストを低減できる。
【００５４】
請求項２に記載の冷蔵庫の発明は、請求項１に記載の発明に加えて、断熱材入りの前記上面パネル、前記底面パネル、前記左右の側面パネル、前記背面パネルにおいて、端部を折り曲げた外板と、端部に前記段差部と、前記段差部の隅に前記溝とを一体に設けた外板より幅の狭いプラスチック製の内板と、前記外板と前記内板との間にスペーサーと、断熱材とで一体に形成したものであり、内板の端部に段差部と、前記段差部の隅に溝とを一体に設けたので、外板と内板の２部品だけで断熱材入りのパネルを形成でき、段差部隅の溝により粘着性シール材の塗布が容易にでき、作業がし易く、部品の低減を図れる。また、内板をプラスチック製としたので、端部の段差部から外板への熱伝導を防ぎ、外板への結露を防止して、温度の安定化と錆や腐食の防止を図ることができる。
【００５５】
請求項３に記載の冷蔵庫の発明は、請求項１に記載の発明に加えて、断熱材入りの前記上面パネル、前記底面パネル、前記左右の側面パネル、前記背面パネルにおいて、端部を前記折り曲げた外板と、前記外板より幅の狭い前記内板と、前記外板と前記内板の外周部にプラスチック製の薄板をＺ型に曲げ１箇所の隅に前記溝とを設けた仕切り板と、前記外板と前記内板との間に前記スペーサーと、前記断熱材とで、前記外板と前記内板の端部に前記仕切り板により前記段差部とを一体に形成したものであり、外板と内板の外周部にプラスチック製のＺ型に曲げ１箇所の隅に溝の付いた薄板の仕切り板で端部の段差部を設けたので、段差部隅の溝により粘着性シール材の塗布が容易にでき、作業がし易く、端部の段差部をプラスチック製の段差部にしたので、外板への熱伝導を防ぎ、外板への結露を防止して、温度の安定化と錆や腐食の防止を図ることができる。
【００５６】
請求項４に記載の冷蔵庫の発明は、請求項１に記載の発明に加えて、断熱材入りの前記上面パネル、前記底面パネル、前記左右の側面パネル、前記背面パネルにおいて、端部を前記折り曲げた外板と、前記外板より幅の狭い前記内板と、前記外板と前記内板の外周部にフィルム状のシートと、前記外板と前記内板との間に前記スペーサーと、前記断熱材とで、前記内板外周部のフィルム状の前記シートを断熱材発泡時の押さえ冶具により前記外板と前記内板との端部に前記段差部と、前記段差部の隅に前記溝とを一体に形成したものであり、外板と内板の外周部にフィルム状のシートと、断熱材発泡時の押さえ冶具により外板と内板外周部の端部に段差部と、段差部の隅に溝を一体にフィルム状のシートを介して形成したので、段差部隅の溝により粘着性シール材の塗布が容易にでき、作業がし易く、端部の段差部をフィルム状のシートの段差部にしたので、外板への熱伝導を防ぎ、外板への結露を防止して、温度の安定化と錆や腐食の防止を図ることができる。また、安価なフィルム状のシートとしたので、製造コストを低減できる。
【００５７】
請求項５に記載の冷蔵庫の発明は、請求項１に記載の発明に加えて、断熱材入りの前記上面パネル、前記底面パネル、前記左右の側面パネル、前記背面パネルにおいて、端部を前記折り曲げた外板と、前記外板より幅の狭い前記内板と、前記内板に挿入した各パネル合わせ部目隠し用のシールサッシュと、前記外板と前記内板に挿入した前記シールサッシュの外周部にフィルム状の前記シートと、前記外板と前記内板との間に前記スペーサーと、前記断熱材とで、前記内板に挿入した前記シールサッシュ外周部のフィルム状の前記シートを断熱材発泡時の押さえ冶具により前記外板と前記内板との端部に前記段差部と、前記段差部の隅に前記溝とを一体に形成したものであり、外板と、内板に挿入した各パネル合わせ部目隠し用のシールサッシュと、内板に挿入したシールサッシュの外周部にフイルム状のシートと、断熱材発泡時の押さえ冶具により外板と内板に挿入したシールサッシュの外周部の端部に段差部と、段差部の隅に溝を一体にフイルム状のシートを介して形成したので、段差部隅の溝により粘着性シール材の塗布が容易にでき、作業がし易く、端部の段差部をフィルム状のシートの段差部にしたので、外板への熱伝導を防ぎ、外板への結露を防止して、温度の安定化と錆や腐食の防止を図ることができる。また、シールサッシュにより各パネル合わせ部目隠しとしたので、各パネル合わせ部の隙を防止しでき、見映えの向上を図ることができる。
【００５８】
請求項６に記載の冷蔵庫の発明は、請求項１から５のいずれか一項記載の発明における断熱材入りの前記上面パネル、前記底面パネル、前記左右の側面パネル、前記背面パネルの各パネル端部の前記段差部同士の組合せにおいて、パネル端部の前記段差部がパネル端部に載り上がる組合せの前記上面パネル、前記底面パネルには前記外板端部をコの字状折り曲げ部と、前記コの字状折り曲げ部に前記外板の表面からの貫通孔とを備え、前記コの字状折り曲げ部内に前記貫通孔と同じ位置に設置した内部が空洞の保持ピースとを前記断熱材内に埋設した前記上面パネル、前記底面パネルと、パネル端部が前記段差部内に組合せの前記左右の側面パネル、前記背面パネルには前記外板端部をＬ字状折り曲げ部と、前記Ｌ字状折り曲げ部に孔と、内側に保持部品とを備え、前記断熱材内に埋設した前記左右の側面パネル、前記背面パネルとを、前記外板端部を前記コの字状折り曲げ部の前記貫通孔から空洞の前記保持ピース内を通し、前記Ｌ字状折り曲げ部の前記孔部内側に設けた前記保持部品に取付ける連結部品とで各パネルの端部を固定したものであり、各パネル端部の段差部を組合せ、また、各パネル端部の外板を連結部品により固定としたので、各パネル端部の段差部と角部が噛み合い各パネル端部の段差部による端部の変形防止ができ、端部の段差部同士の組合せによる合せ部の強度を確保でき、また、簡単に組合せ組立ができ、組み立て易くなり、製造コストを低減できる。また、冷却された内板から端部の段差部外板への熱伝導を防ぎ、外板への結露を防止して、冷蔵庫内の温度の安定化と錆や腐食の防止を図ることができる。
【００５９】
請求項７に記載の冷蔵庫の発明は、請求項１から６のいずれか一項記載の発明における断熱材入りの前記上面パネル、前記底面パネル、前記左右の側面パネル、前記背面パネルの各パネル同士の組合せにおいて、前記上面パネルと、前記底面パネルと、前記左右の側面パネルとの前記背面パネル側の端部を、前記背面パネルの前記外板と固定する４隅部のコーナー保持板と、辺長部の辺長部保持板とを備え、各パネル同士を組合せ一体に構成したものであり、各パネルを組合せ後、箱体の背面の４隅部のコーナー部と辺長部をコーナー保持板と、辺長部の保持板とで各パネルの外板同士接続としたので、各パネルの固定を確実にでき、各パネルの組合せ後の歪みを防止でき、冷却による変形を防ぎ組合せ面からの冷気洩れを防止でき、外板への結露を防止して、強度を上げ、冷蔵庫内の温度の安定化と錆や腐食の防止を図ることができる。
【００６０】
請求項８に記載の冷蔵庫の発明は、請求項１から７のいずれか一項記載の発明における断熱材内に真空断熱材を埋設したパネルにおいて、端部を前記折り曲げた外板と、前記外板より幅の狭い前記内板と、前記外板裏面側に前記真空断熱材と、前記内板の凹部と、前記凹部の先端を前記真空断熱材に当接して前記外板裏面側に前記真空断熱材を取付け固定し、前記断熱材とで、一体に形成したものであり、断熱材内に内板の凹部と、凹部の先端を真空断熱材に当接して外板裏面側に真空断熱材を取付け固定し、真空断熱材と一体に発泡したので、断熱性能を向上でき、吸熱量減により冷却消費電力量を減らすことができ、節電を図ることができる。また、固定と組み立てが簡単にでき、組み立て易く、製造コストを低減できる。
【００６１】
請求項９に記載の冷蔵庫の発明は、請求項１から８のいずれか一項記載の発明における断熱材内に前記真空断熱材を埋設したパネルにおいて、前記外板端部を前記コの字状折り曲げ部と、前記コの字状折り曲げ部に前記外板の表面からの前記貫通孔とを備え、前記コの字状折り曲げ部内に前記貫通孔と同じ位置に設置した内部が空洞の前記保持ピースと、前記真空断熱材の外周溶着部に取付け孔と、前記真空断熱材の前記取付け孔を内部が空洞の前記保持ピースと前記外板裏面側の前記外板の前記貫通孔との間に設け、前記断熱材とで、前記外板側内へ一体に形成したものであり、真空断熱材の外周溶着部に取付け孔を設け、外板のコの字状折り曲げ部の貫通孔と同じ位置に設置した内部が空洞の保持ピースとの間に真空断熱材外周溶着部の取付け孔を合わせ、真空断熱材と外周溶着部共に外板裏面側に固定し断熱材と一体としたので、断熱性能を向上でき、吸熱量減により冷却消費電力量を減らすことができ、節電を図ることができる。また、真空断熱材の外周溶着部の処理が簡単にでき、組み立て時間を短縮して、製造コストを低減できる。
【００６２】
以下、本発明による冷蔵庫の実施の形態について、図面を参照しながら説明する。
【００６３】
（実施の形態１）
図１は、本発明の実施の形態１による冷蔵庫の外観斜視図である。図２は、同実施の形態の冷蔵庫を左右に切断した場合の左側を右から見た縦断面図である。図３は、同実施の形態の冷蔵庫におけるパネルの前部を示す要部縦断面図である。図４は、同実施の形態の冷蔵庫における上下左右４コーナーのパネル組合せ部を示す要部縦断面図である。図５は、同実施の形態の冷蔵庫における背面パネル組合せ外周部を示す要部縦断面図である。
【００６４】
図６は、同実施の形態による冷蔵庫のパネルを分解した場合の外観斜視図である。図７は、同実施の形態による冷蔵庫のパネルを組合せした場合の外観斜視図である。図８は、同実施の形態による冷蔵庫の背面補強板を分解した場合の外観斜視図である。図９は、同実施の形態による冷蔵庫の上面パネルを前後に切断した場合の後ろ側を前から見た縦断面図である。図１０は、同実施の形態の冷蔵庫における真空断熱材の外観斜視図である。
【００６５】
図１から図１０に示すように、冷蔵庫２１は、断熱材２２入りの上面パネル２３と、底面パネル２４と、左右の側面パネル２５と、背面パネル２６の組合せにより前面を開口する貯蔵室２７が形成された断熱箱体２８と、貯蔵室２７の前面を開口するための扉２９とを有する。
【００６６】
断熱箱体２８の下部に冷却機能部品収納箱３０の空間が設けられている。貯蔵室２７の奥面には、冷却部収納室３１が区画整理され冷却部収納室３１の冷気吸入口３２側には蒸発器３３、出口側には冷気吐出口３４が設置されている。
【００６７】
また、上面パネル２３と、底面パネル２４と、左右の側面パネル２５と、背面パネル２６は、外板３５と内板３６と、外板３５と内板３６との間のスペーサー３７とを断熱材２２により一体発泡し構成している。
【００６８】
上面パネル２３と、底面パネル２４は、鉄板などの金属製の表面処理した外板３５には、前面側に内板３６を挿入する溝状の折り曲げ部３８と、左右と背面側端部には折り曲げた外板３９のコの字状折り曲げ部４０と、コの字状折り曲げ部４０に外板３５の表面からの貫通孔４１とを備え、コの字状折り曲げ部４０内に貫通孔４１と同じ位置に設置した内部が空洞の保持ピース４２を設け、また、外板３５より幅の狭いプラスチック製の内板３６には、前面側に外板３５の溝状の折り曲げ部３８に挿入するフランジ部４３と、左右と背面側端部には段差部４４と、段差部４４の隅に溝４５とを一体に設けられている。
【００６９】
また、左右の側面パネル２５と、背面パネル２６は、外板３５には、前面側に内板３６を挿入する溝状の折り曲げ部３８と、左右の側面パネル２５の背面側端部には折り曲げた外板３９のコの字状折り曲げ部４０と、コの字状折り曲げ部４０に外板３５の表面からの貫通孔４１とを備え、コの字状折り曲げ部４０内に貫通孔４１と同じ位置に設置した内部が空洞の保持ピース４２を設け、左右の側面パネル２５の上下端部と、背面パネル２６の上下左右端部には折り曲げた外板３９のＬ字状折り曲げ部４６を設け、Ｌ字状折り曲げ部４６に孔４７と内側には保持部品４８を備え、また、外板３５より幅の狭いプラスチック製の内板３６には、前面側に外板３５の溝状の折り曲げ部３８に挿入するフランジ部４３と、左右の側面パネル２５の上下と背面側端部および背面パネル２６の上下左右端部には段差部４４と、段差部４４の隅に溝４５とを一体に設けられ、段差部を左右の側面パネル２５と、背面パネル２６の外板端部の折り曲げた外板３９のコの字状折り曲げ部４０と、Ｌ字状折り曲げ部４６に当接し、外板３５の溝状の折り曲げ部３８内に軟質ウレタンフォーム等のシールフォーム４９が設置されている。
【００７０】
さらに、上面パネル２３と、底面パネル２４と、左右の側面パネル２５と、背面パネル２６の断熱材２２内に、真空断熱材５０を外板３５の裏面側に当て、貯蔵室２７内部の部品を取付ける内板３６の凹部５１の先端を真空断熱材５０に当接して外板３５裏面側に真空断熱材５０を取付け固定し、内板３６と真空断熱材５０との間を断熱材２２とで一体に発泡し設けられている。
【００７１】
真空断熱材５０は、繊維材料、樹脂発泡材料、および粒状体から選ばれた少なくとも１種類の材料よりなる芯材を、ガスバリヤー性を有する外被材５２で覆い、内部を減圧して真空封入して構成したものである。
【００７２】
外被材５２は、ガスバリヤー層にアルミニウムなどの金属箔や、金属または無機酸化物を蒸着したフイルムを用い、その内層には熱溶着層として無延伸ポリプロピレン等のフィルムを、最外層に保護層としてナイロンやポリエチレンテレフタレート等のフィルムを積層したラミネートフィルムである。
【００７３】
また、上面パネル２３と、底面パネル２４と、左右の側面パネル２５と、背面パネル２６の断熱材２２内に、真空断熱材５０を外板３５のコの字状折り曲げ部４０の貫通孔４１と同じ位置に設置した内部が空洞の保持ピース４２との間に、真空断熱材５０の外被材５２で真空封入する外周溶着部５３の取付け孔５４を合わせ、真空断熱材５０と外周溶着部５３共に外板３５裏面側に固定し、内板３６と真空断熱材５０との間を断熱材２２と一体に発泡し設けられている。
【００７４】
真空断熱材５０の真空封入する外周溶着部５３は、断熱材２２内に埋設すると、断熱材２２内に割れを生じ易く、真空断熱材５０の本体側に折り曲げ、テープ等で固定し断熱材２２と一体に発泡していた部分であり、外周溶着部５３に取付け孔５４を設け真空断熱材５０の固定に利用するものである。
【００７５】
さらに、断熱材２２入りの上面パネル２３、底面パネル２４、左右の側面パネル２５、背面パネル２６の、パネル端部段差部４４隅の溝４５に粘着性シール材５５を塗布し、パネル端部の段差部４４がパネル端部に載り上がる組合せの上面パネル２３と、底面パネル２４を、パネル端部が段差部４４内に組合せの左右の側面パネル２５と、背面パネル２６を、パネル端部の段差部４４がパネル端部に載り上がる組合せとパネル端部が段差部４４内に組合せの左右の側面パネル２５を、各パネル端部の段差部４４同士組合せ、パネル端部の段差部４４がパネル端部に載り上がる組合せのパネル端部の貫通孔４１と、内部が空洞の保持ピース４２内に連結部品５６を挿入し、パネル端部が段差部４４内に組合せのパネル端部の孔４７と内側の保持部品４８に取付け接続固定している。
【００７６】
また、上面パネル２３、底面パネル２４、左右の側面パネル２５の背面パネル２６側の端部と、背面パネル２６の外板３９とを、各パネルの外板同士接続する４隅部のコーナー保持板５７と、辺長部の辺長部保持板５８とを背面部に設置している。
【００７７】
さらに、冷蔵庫２１は、断熱箱体２８における扉２９と対向する貯蔵室２７の開口部の外周部部分の上面パネル２３と、底面パネル２４と、左右の側面パネル２５に内側面から熱交換可能に当接する高温冷媒循環用外周パイプ５９を断熱材２２内に埋設している。
【００７８】
また、断熱箱体２８の貯蔵室２７開口部の前面を覆う断熱材２２入りの扉２９を断熱箱体２８に取り付けられたヒンジ６０を介して開閉するように設置されている。
【００７９】
扉２９には、貯蔵室２７開口部の外周部分に当接する位置に柔軟材料で磁石を内蔵した冷気シール用ガスケット６１と、冷気シール用ガスケット６１より内側に扉裏板６２を設けている。
【００８０】
貯蔵室２７には、貯蔵室棚６３が貯蔵室２７左右壁面の受け部に貯蔵室２７と空間を保って設置されている。
【００８１】
また、貯蔵室２７奥面には冷却部収納室３１の冷気吐出口３４と同じ高さ位置に冷気循環用ファン６４が設けられている。
【００８２】
冷蔵庫２１下部の冷却機能部品収納箱３０には、圧縮機６５と、圧縮機６５の上に蒸発皿６６と、凝縮器６７と、膨張機構としてのキャピラリーチューブと、凝縮器冷却ファン６８と、冷却制御盤６９が設置されている。
【００８３】
そして、圧縮機６５、凝縮器６７、高温冷媒循環用外周パイプ５９、キャピラリーチューブ、蒸発器３３は順次環状に連接され、貯蔵室２７を冷却する冷却手段としての冷凍サイクル（蒸気圧縮式の冷凍システム）を形成する。
【００８４】
以上のように構成された本実施の形態の冷蔵庫について、以下その動作を説明する。
【００８５】
冷却制御盤６９部の電源の投入と同時に、圧縮機６５の起動により冷凍サイクルを動作させ、蒸発器３３により冷却を行う。このとき冷気循環用ファン６４により、貯蔵室２７の空気を冷気吸入口３２を通して蒸発器３３を通し冷気吐出口３４から貯蔵室２７内に循環させ４℃近くまで冷却を行う。
【００８６】
食品を冷却する場合、まず、食品を貯蔵室２７内の貯蔵室棚６３に載置して扉２９を閉止すると、扉２９が扉開閉検知手段を作動させ、冷気循環用ファン６４を回転させて、冷気が冷気吐出口３４から貯蔵室２７内に流入して、食品は冷気で覆われる。
【００８７】
そして、蒸発器３３で冷却された冷気は、貯蔵室２７前面開口の外周部分を冷気シール用ガスケット６１付き扉２９により冷気洩れはなくなる。
【００８８】
従って、貯蔵室２７内の食品は冷却が行われる。そのため、昇温のない良好な状態で食品の貯蔵を行うことができる。
【００８９】
本実施の形態の冷蔵庫では、断熱材２２入りの上面パネル２３、底面パネル２４、左右の側面パネル２５、背面パネル２６を組合せ前面を開口した断熱箱体２８の貯蔵室２７は、各断熱材入りパネル組合せ部を粘着性シール材５５の塗布により、シールをする。
【００９０】
その結果、断熱パネル組合せ部の変形による隙間を防いでいるため、冷却部収納室３１内の蒸発器３３で冷却された冷気の洩れはなくなり、さらに、貯蔵室２７を通り、貯蔵室２７から冷却部収納室３１に還り貯蔵室２７を冷却する冷気循環量の減少を押さえることができるため、貯蔵室２７内の冷却低下を防ぐことが可能となる。
【００９１】
また、前面を開口した断熱箱体２８の貯蔵室２７は、断熱材２２入りの上面パネル２３、底面パネル２４、左右の側面パネル２５、背面パネル２６を組合せし、組み立てする配置としているため、断熱材２２入りの上面パネル２３、底面パネル２４、左右の側面パネル２５、背面パネル２６の外形寸法を変えることにより断熱箱体２８の貯蔵室２７を自由に造ることができ、各パネルの断熱材２２を注入発泡する時の冶具も簡単にでき、また、冶具の外形寸法を変えることも簡単にすることができるため、加工し易く、多種類の大きさに対応し易く、製造コストを低減することが可能となる。
【００９２】
また、柔軟材料で磁石を内蔵した冷気シール用ガスケット６１により扉２９を貯蔵室２７開口部の外周部分の位置に当接させることができるため、貯蔵室２７からの冷気洩れをなくせる。
【００９３】
本実施の形態の冷蔵庫では、冷却用の冷媒は、圧縮機６５により圧縮され、高温となり凝縮器６７に送り出され、高温冷媒循環用外周パイプ５９、キャピラリーチューブで減圧され、蒸発器３３を経て、圧縮機６５へと還る。
【００９４】
その結果、高温冷媒循環用外周パイプ５９を上面パネル２３、底面パネル２４、左右の側面パネル２５の断熱材２２内へ設置した外側面は、高温冷媒により加熱される。
【００９５】
このため、貯蔵室２７からの熱伝導により、上面パネル２３、底面パネル２４、左右の側面パネル２５の外側面が冷やされる影響を押さえることができるため、断熱箱体２８への結露を防ぐことが可能となる。
【００９６】
以上のように本実施の形態の冷蔵庫は、前面を開口する貯蔵室２７が形成され外板３５と内板３６と、外板３５と内板３６との間のスペーサー３７とを一体発泡した断熱材２２入りの上面パネル２３と、底面パネル２４と、左右の側面パネル２５と、背面パネル２６とを組合せた断熱箱体２８と、貯蔵室２７の開口部を開閉する扉２９と、貯蔵室２７を冷却する冷却手段としての冷凍サイクル（蒸気圧縮式の冷凍システム）の蒸発器３３とを備えた冷蔵庫２１において、上面パネル２３と、底面パネル２４は、外板３５には、前面側に内板３６を挿入する溝状の折り曲げ部３８と、左右と背面側端部には折り曲げた外板３９のコの字状折り曲げ部４０と、コの字状折り曲げ部４０に外板３５の表面からの貫通孔４１と、コの字状折り曲げ部４０内に貫通孔４１と同じ位置に設置した内部が空洞の保持ピース４２と、外板３５より幅の狭いプラスチック製の内板３６には、前面側に外板３５の溝状の折り曲げ部３８に挿入するフランジ部４３と、左右と背面側端部には段差部４４と、段差部４４の隅に溝４５と、左右の側面パネル２５と、背面パネル２６は、外板３５には、前面側に内板３６を挿入する溝状の折り曲げ部３８と、左右の側面パネル２５の背面側端部には折り曲げた外板３９のコの字状折り曲げ部４０と、コの字状折り曲げ部４０に外板３５の表面からの貫通孔４１と、コの字状折り曲げ部４０内に貫通孔４１と同じ位置に設置した内部が空洞の保持ピース４２と、左右の側面パネル２５の上下端部と、背面パネル２６の上下左右端部には折り曲げた外板３９のＬ字状折り曲げ部４６と、Ｌ字状折り曲げ部４６に孔４７と内側には保持部品４８と、外板３５より幅の狭いプラスチック製の内板３６には、前面側に外板３５の溝状の折り曲げ部３８に挿入するフランジ部４３と、左右の側面パネル２５の上下と背面側端部および背面パネル２６の上下左右端部には段差部４４と、段差部４４の隅に溝４５と、段差部を左右の側面パネル２５と、背面パネル２６の外板３５端部の折り曲げた外板３９のコめ字状折り曲げ部４０と、Ｌ字状折り曲げ部４６に当接し、外板３５の溝状の折り曲げ部３８内にシールフォーム４９とを設けたものである。
【００９７】
本実施の形態の冷蔵庫では、上面パネル２３と、底面パネル２４の外板３５は、前面側に内板３６を挿入する溝状の折り曲げ部３８と、左右と背面側端部に折り曲げた外板３９のコの字状折り曲げ部４０と、コの字状折り曲げ部４０に外板３５の表面からの貫通孔４１と、コの字状折り曲げ部４０内に貫通孔４１と同じ位置に内部が空洞の保持ピース４２を設置し、外板３５より幅の狭いプラスチック製の内板３６は、前面側に外板３５の溝状の折り曲げ部３８に挿入するフランジ部４３と、左右と背面側端部に段差部４４と、段差部４４の隅は溝４５とし、左右の側面パネル２５と、背面パネル２６は、外板３５は、前面側に内板３６を挿入する溝状の折り曲げ部３８と、左右の側面パネル２５の背面側端部に折り曲げた外板３９のコの字状折り曲げ部４０と、コの字状折り曲げ部４０に外板３５の表面からの貫通孔４１と、コの字状折り曲げ部４０内に貫通孔４１と同じ位置に内部が空洞の保持ピース４２を設置し、左右の側面パネル２５の上下端部と、背面パネル２６の上下左右端部は折り曲げた外板３９のＬ字状折り曲げ部４６と、Ｌ字状折り曲げ部４６に孔４７と内側に保持部品４８取付けし、外板３５より幅の狭いプラスチック製の内板３６は、前面側に外板３５の溝状の折り曲げ部３８に挿入するフランジ部４３と、左右の側面パネル２５の上下と背面側端部および背面パネル２６の上下左右端部は段差部４４と、段差部４４の隅は溝４５とし、段差部を左右の側面パネル２５と、背面パネル２６の外板３５端部の折り曲げた外板３９のコの字状折り曲げ部４０と、Ｌ字状折り曲げ部４６に当接し、外板３５の溝状の折り曲げ部３８内にシールフォーム４９とを設けシールし、スペーサー３７により外板３５と内板３６の隙間を一定としたので、外板３５と内板３６の組合せが簡単にでき、断熱材２２との一体発泡時外板３５と内板３６合わせ部から断熱材２２の洩れを防ぎ、外板３５と内板３６共フラットを多くでき、断熱材２２を注入発泡する時の冶具も簡単にでき、組み立て易く、加工し易くなり、製造コストを低減できる。また、貯蔵室２７側の内板３６はプラスチック製により冷却による熱伝導を減らすことができ、内板３６の段差部４４で沿面距離を多く取れることにより内板３６から外板３５への熱伝導を減らすことができるため、外板３５への結露を防止して、温度の安定化と錆や腐食の防止を図ることができる。
【００９８】
以上のように本実施の形態の冷蔵庫は、上面パネル２３と、底面パネル２４と、左右の側面パネル２５と、背面パネル２６の断熱材２２内に、真空断熱材５０を外板３５の裏面側に当て、貯蔵室２７内部の部品を取付ける内板３６の凹部５１の先端を真空断熱材５０に当接して外板３５裏面側に真空断熱材５０を取付け固定し、内板３６と真空断熱材５０との間を断熱材２２とで一体に発泡し設け、また、上面パネル２３と、底面パネル２４と、左右の側面パネル２５と、背面パネル２６の断熱材２２内に、真空断熱材５０を外板３５のコの字状折り曲げ部４０の貫通孔４１と同じ位置に設置した内部が空洞の保持ピース４２との間に、真空断熱材５０の外被材５２で真空封入する外周溶着部５３の取付け孔５４を合わせ、真空断熱材５０と外周溶着部５３共に外板３５裏面側に固定し、内板３６と真空断熱材５０との間を断熱材２２と一体に発泡し設けたものである。
【００９９】
本実施の形態の冷蔵庫では、上面パネル２３と、底面パネル２４と、左右の側面パネル２５と、背面パネル２６の断熱材２２内に、内板３６の凹部５１の先端を真空断熱材５０に当接して外板３５裏面側に真空断熱材５０を取付け固定し、また、真空断熱材５０を外板３５のコの字状折り曲げ部４０の貫通孔４１と同じ位置に設置した内部が空洞の保持ピース４２との間に、真空断熱材５０の外周溶着部５３の取付け孔５４を合わせ、真空断熱材５０と外周溶着部５３共に外板３５裏面側に固定し、内板３６と、初期熱伝導率０．００２５Ｗ／ｍＫで厚みが１２ｍｍの真空断熱材５０との間を断熱材２２と一体に発泡したので、断熱材２２は硬質発泡ウレタンフォームからなるものであり初期熱伝導率はおよそ０．０２Ｗ／ｍＫ〜０．０３５Ｗ／ｍＫから真空断熱材５０により断熱性能を向上でき、貯蔵室２７内への侵入熱量を減らすことができるため、吸熱量減により冷却消費電力量を減らすことができ、節電を図ることができる。
【０１００】
以上のように本実施の形態の冷蔵庫は、断熱材２２入りの上面パネル２３、底面パネル２４、左右の側面パネル２５、背面パネル２６の、パネル端部段差部４４隅の溝４５に粘着性シール材５５を塗布し、パネル端部の段差部４４がパネル端部に載り上がる組合せの上面パネル２３と、底面パネル２４を、パネル端部が段差部４４内に組合せの左右の側面パネル２５と、背面パネル２６を、パネル端部の段差部４４がパネル端部に載り上がる組合せとパネル端部が段差部４４内に組合せの左右の側面パネル２５を、各パネル端部の段差部４４同士組合せ、パネル端部の段差部４４がパネル端部に載り上がる組合せのパネル端部の貫通孔４１と、内部が空洞の保持ピース４２内に連結部品５６を挿入し、パネル端部が段差部４４内に組合せのパネル端部の孔４７と内側の保持部品４８に取付け接続固定し、上面パネル２３、底面パネル２４、左右の側面パネル２５の背面パネル２６側の端部と、背面パネル２６の外板３９とを、各パネルの外板３５同士接続する４隅部のコーナー保持板５７と、辺長部の辺長部保持板５８とを背面部に設けている。
【０１０１】
本実施の形態の冷蔵庫では、断熱材２２入りの上面パネル２３、底面パネル２４、左右の側面パネル２５、背面パネル２６の、パネル端部段差部４４同士を組合せし、段差部４４隅の溝４５内に粘着性シール材５５を塗布したので、段差部４４面のシールができ、貯蔵室２７内からの冷気洩れを防げるため、外部から貯蔵室２７内への熱侵入を防止できる。
【０１０２】
また、パネル端部を組合せし、パネル端部の貫通孔４１と内部が空洞の保持ピース４２からもう一方のパネル端部の保持部品４８に連結部品５６で固定し、各パネル背面の外板３５同士を４隅部と辺長部にコーナー保持板５７と辺長部保持板５８とで固定したので、パネル端部段差部４４の隙を防ぎ、貯蔵室２７内の冷却によるパネル端部段差部４４の変形を防止でき、前面を開口した断熱箱体２８の歪みを防ぐことができるため、大きな断熱箱体２８も造り易く、冷蔵庫内の温度の安定化を図ることができる。
【０１０３】
以上のように本実施の形態の冷蔵庫は、組立式の箱体からなる冷蔵庫本体が、断熱材２２入りの上面パネル２３と、底面パネル２４と、左右の側面パネル２５と、背面パネル２６とから構成され、各パネルの端部に段差部４４と、段差部４４の隅に溝４５と、溝４５に粘着性シール材５５とで、端部の段差部４４同士を組合せ一体に構成するものであり、断熱材２２入りの上面パネル２３と、底面パネル２４と、左右の側面パネル２５と、背面パネル２６の各パネルの組合せ端部に段差部４４と、段差部４４の隅に溝４５と、溝４５に粘着性シール材５５を塗布し、各パネルの段差部４４同士を組合せた組立式の断熱箱体２８としたので、各パネル端部の段差部４４により位置合わせ固定が容易にでき、段差部による端部の変形防止ができ、段差部４４同士の組合せにより組合せ部の沿面距離を多く取れ端部の変形を防止でき、段差部４４隅の溝４５内に塗布した粘着性シール材５５により段差部４４同士の組合せ部のシールができ、組立て易く、各パネルの位置ズレを防止し、冷蔵庫２１外部から庫内への熱侵入と庫内からの冷気洩れを防止し、結露を防ぎ、製造コストの低減と、冷蔵庫内温度の安定化と錆や腐食の防止を図ることができる。
【０１０４】
また、断熱材２２入りの上面パネル２３、底面パネル２４、左右の側面パネル２５、背面パネル２６の各パネル端部の段差部４４同士の組合せにおいて、パネル端部の段差部４４がパネル端部に載り上がる組合せの上面パネル２３、底面パネル２４には外板３５端部をコの字状折り曲げ部４０と、コの字状折り曲げ部４０に外板３５の表面からの貫通孔４１とを備え、コの字状折り曲げ部４０内に貫通孔４１と同じ位置に設置した内部が空洞の保持ピース４２とを断熱材２２内に埋設した上面パネル２３、底面パネル２４と、パネル端部が段差部４４内に組合せの左右の側面パネル２５、背面パネル２６には外板３５端部をＬ字状折り曲げ部４６と、Ｌ字状折り曲げ部４６に孔４７と、内側に保持部品４８とを備え、断熱材２２内に埋設した左右の側面パネル２５、背面パネル２６とを、外板３５端部をコの字状折り曲げ部４０の貫通孔４１から空洞の保持ピース４２内を通し、Ｌ字状折り曲げ部４６の孔４７部内側に設けた保持部品４８に取付ける連結部品５６とで各パネルの端部を固定したものであり、断熱材２２入りのパネル端部の段差部４４がパネル端部に載り上がる組合せの上面パネル２３、底面パネル２４には外板３５端部にコの字状折り曲げ部４０と、外板３５の表面からの貫通孔４１と、貫通孔４１に合わせた内部が空洞の保持ピース４２とを断熱材２２内に埋設し、パネル端部が段差部４４内に組合せの左右の側面パネル２５、背面パネル２６には外板３５端部にＬ字状折り曲げ部４６と、Ｌ字状折り曲げ部４６に孔４７と、内側に保持部品４８とを断熱材２２内に埋設し、各パネルの段差部４４同士を組合せ連結部品５６によりパネル端部の段差部４４がパネル端部に載り上がるパネル外板３５の表面からの貫通孔４１から内部が空洞の保持ピース４２内を通し、パネル端部が段差部４４内のパネル内側の保持部品４８に各パネルの段差部４４同士を組合せて固着し断熱箱体２８としたので、各パネル端部の段差部４４の組合せ固定はパネルの金属製の外板３５同士によりパネル端部の段差部４４を確実に固着することができ、各パネル端部の段差部４４が噛み合い合わせ部の強度確保により各パネル端部段差部４４の冷却等による変形防止ができ、冷気もれを防ぎ、外板３５への結露を防止して、冷蔵庫内の温度の安定化と錆や腐食の防止を図ることができる。また、簡単に組合せ組立てができ、組立て易く、製造コストを低減できる。
【０１０５】
また、断熱材２２入りの上面パネル２３、底面パネル２４、左右の側面パネル２５、背面パネル２６の各パネル同士の組合せにおいて、上面パネル２３と、底面パネル２４と、左右の側面パネル２５との背面パネル２６側の端部を、背面パネル２６の外板３５と固定する４隅部のコーナー保持板５７と、辺長部の辺長部保持板５８とを備え、各パネル同士を組合せ一体に構成するものであり、各パネルを組合せ後箱体３５の背面の４隅部のコーナー部と辺長部をコーナー保持板５７と、辺長部の保持板５８とで各パネルの外板３５同士を固定したので、各パネルの端部段差部４４の隙を防ぎ、各パネルの組合せ後の歪みを防止でき、冷却による変形を防ぎ、組合せ面からの冷気洩れを防止でき、外板３５への結露を防止して、強度を上げ、冷蔵庫内の温度の安定化と錆や腐食の防止を図ることができる。
【０１０６】
また、断熱材２２内に真空断熱材５０を埋設したパネルにおいて、端部を折り曲げた外板３５と、外板３５より幅の狭い内板３６と、外板３５裏面側に真空断熱材５０と、内板３６の凹部５１と、凹部５１の先端を真空断熱材５０に当接して外板３５裏面側に真空断熱材５０を取付け固定し、断熱材２２とで、一体に形成したものであり、断熱材２２内に内板３６の凹部５１と、凹部５１の先端を真空断熱材５０に当接して外板３５裏面側に真空断熱材５０を取付け固定し、真空断熱材５０と一体に発泡したので、真空断熱材５０によりパネル内への侵入熱量を減らし断熱性能を向上でき、吸熱量減により冷却消費電力量を減らすことができ、節電を図ることができる。また、固定と組み立てが簡単にでき、組み立て易く、製造コストを低減できる。
【０１０７】
また、断熱材２２内に真空断熱材５０を埋設したパネルにおいて、外板３５端部をコの字状折り曲げ部４０と、コの字状折り曲げ部４０に外板３５の表面からの貫通孔４１とを備え、コの字状折り曲げ部４０内に貫通孔４１と同じ位置に設置した内部が空洞の保持ピース４２と、真空断熱材５０の外周溶着部５３に取付け孔５４と、真空断熱材５０の取付け孔５４を内部が空洞の保持ピース４２と外板３５裏面側の外板３５の貫通孔４１との間に設け、断熱材２２とで、外板３５側内へ一体に形成したものであり、真空断熱材５０の外周溶着部５３に取付け孔５４を設け、外板３５のコの字状折り曲げ部４０の貫通孔４１と同じ位置に設置した内部が空洞の保持ピース４２との間に真空断熱材５０外周溶着部５３の取付け孔５４を合わせ、真空断熱材５０と外周溶着部５３共に外板３５裏面側に固定し断熱材２２と一体としたので、真空断熱材５０によりパネル内への侵入熱量を減らし断熱性能を向上でき、吸熱量減により冷却消費電力量を減らすことができ、節電を図ることができる。また、真空断熱材５０の外周溶着部５３の処理が簡単にでき、固定と組み立て時間を短縮して、組み立て易く、製造コストを低減できる。
【０１０８】
（実施の形態２）
次に、本発明の実施の形態２の冷蔵庫について、図面を参照しながら説明するが、実施の形態１と同一構成については、同一符号を付して、その詳細な説明は省略する。
【０１０９】
図１は、本発明の実施の形態２による冷蔵庫の外観斜視図である。図２は、同実施の形態の冷蔵庫を左右に切断した場合の左側を右から見た縦断面図である。図３は、同実施の形態の冷蔵庫におけるパネルの前部を示す要部縦断面図である。図４は、同実施の形態の冷蔵庫における上下左右４コーナーのパネル組合せ部を示す要部縦断面図である。図５は、同実施の形態の冷蔵庫における背面パネル組合せ外周部を示す要部縦断面図である。
【０１１０】
図６は、同実施の形態による冷蔵庫のパネルを分解した場合の外観斜視図である。図７は、同実施の形態による冷蔵庫のパネルを組合せした場合の外観斜視図である。図８は、同実施の形態による冷蔵庫の背面補強板を分解した場合の外観斜視図である。図９は、同実施の形態による冷蔵庫の上面パネルを前後に切断した場合の後ろ側を前から見た縦断面図である。図１０は、同実施の形態の冷蔵庫における真空断熱材の外観斜視図である。
【０１１１】
図１１は、同実施の形態の冷蔵庫における上下左右４コーナーのパネル組合せ部を示す要部縦断面図である。図１２は、同実施の形態の冷蔵庫における背面パネル組合せ外周部を示す要部縦断面図である。図１３は、同実施の形態の冷蔵庫におけるパネル段差部の仕切り板を切断した要部外観斜視図である。図１４図は、同実施の形態の冷蔵庫における上下左右４コーナーのパネル組合せ部を示す要部縦断面図である。図１５は、同実施の形態の冷蔵庫における背面パネル組合せ外周部を示す要部縦断面図である。
【０１１２】
図１から図１５に示すように、冷蔵庫２１は、断熱材２２入りの上面パネル２３と、底面パネル２４と、左右の側面パネル２５と、背面パネル２６の組合せにより前面を開口する貯蔵室２７が形成された断熱箱体２８と、貯蔵室２７の前面を開口するための扉２９とを有する。断熱箱体２８の下部に冷却機能部品収納箱３０の空間が設けられている。
【０１１３】
貯蔵室２７の奥面には、冷却部収納室３１が区画整理され冷却部収納室３１の冷気吸入口３２側には蒸発器３３、出口側には冷気吐出口３４が設置されている。
【０１１４】
また、上面パネル２３と、底面パネル２４と、左右の側面パネル２５と、背面パネル２６は、外板３５と内板３６と、外板３５と内板３６の外周部に仕切り板７０と、外板３５と内板３６との間のスペーサー３７とを断熱材２２により一体発泡し構成している。上面パネル２３と、底面パネル２４は、鉄板などの金属製の表面処理した外板３５には、前面側に内板３６を挿入する溝状の折り曲げ部３８と、左右と背面側端部には折り曲げた外板３９のコの字状折り曲げ部４０と、コの字状折り曲げ部４０に外板３５の表面からの貫通孔４１とを備え、コの字状折り曲げ部４０内に貫通孔４１と同じ位置に設置した内部が空洞の保持ピース４２を設け、また、外板３５より幅の狭いプラスチック製の内板３６には、前面側に外板３５の溝状の折り曲げ部３８に挿入するフランジ部４３と、左右と背面側端部は平面とで一体に設けられている。
【０１１５】
また、左右の側面パネル２５と、背面パネル２６は、外板３５には、前面側に内板３６を挿入する溝状の折り曲げ部３８と、左右の側面パネル２５の背面側端部には折り曲げた外板３９のコの字状折り曲げ部４０と、コの字状折り曲げ部４０に外板３５の表面からの貫通孔４１とを備え、コの字状折り曲げ部４０内に貫通孔４１と同じ位置に設置した内部が空洞の保持ピース４２を設け、左右の側面パネル２５の上下端部と、背面パネル２６の上下左右端部には折り曲げた外板３９のＬ字状折り曲げ部４６を設け、Ｌ字状折り曲げ部４６に孔４７と内側には保持部品４８を備え、また、外板３５より幅の狭いプラスチック製の内板３６には、前面側に外板３５の溝状の折り曲げ部３８に挿入するフランジ部４３と、左右の側面パネル２５の背面側端部は平面と、上下および背面パネル２６の上下左右端部には折り曲げ部７１とを一体に設けられ、外板３５と内板３６の外周部にプラスチック製の薄板をＺ型に曲げ１箇所の隅に溝４５を設けた仕切り板７０で段差部４４を形成し、仕切り板７０を左右の側面パネル２５と、背面パネル２６の外板３５端部の折り曲げた外板３９のコの字状折り曲げ部４０と、Ｌ字状折り曲げ部４６に当接し、外板３５の溝状の折り曲げ部３８内に軟質ウレタンフォーム等のシールフォーム４９が設置されている。
【０１１６】
さらに、上面パネル２３と、底面パネル２４と、左右の側面パネル２５と、背面パネル２６の断熱材２２内に、真空断熱材５０を外板３５の裏面側に当て、貯蔵室２７内部の部品を取付ける内板３６の凹部５１の先端を真空断熱材５０に当接して外板３５裏面側に真空断熱材５０を取付け固定し、内板３６と真空断熱材５０との間を断熱材２２とで一体に発泡し設けられている。
【０１１７】
また、上面パネル２３と、底面パネル２４と、左右の側面パネル２５と、背面パネル２６の断熱材２２内に、真空断熱材５０を外板３５のコの字状折り曲げ部４０の貫通孔４１と同じ位置に設置した内部が空洞の保持ピース４２との間に、真空断熱材５０の外被材５２で真空封入する外周溶着部５３の取付け孔５４を合わせ、真空断熱材５０と外周溶着部５３共に外板３５裏面側に固定し、内板３６と真空断熱材５０との間を断熱材２２と一体に発泡し設けられている。
【０１１８】
さらに、断熱材２２入りの上面パネル２３、底面パネル２４、左右の側面パネル２５、背面パネル２６の、パネル外周部段差部４４の仕切り板７０隅の溝４５に粘着性シール材５５を塗布し、パネル端部の段差部４４がパネル端部に載り上がる組合せの上面パネル２３と、底面パネル２４を、パネル端部が段差部４４内に組合せの左右の側面パネル２５と、背面パネル２６を、パネル端部の段差部４４がパネル端部に載り上がる組合せとパネル端部が段差部４４内に組合せの左右の側面パネル２５を、各パネル端部の段差部４４同士組合せ、パネル端部の段差部４４がパネル端部に載り上がる組合せのパネル端部の貫通孔４１と、内部が空洞の保持ピース４２内に連結部品５６を挿入し、パネル端部が段差部４４内に組合せのパネル端部の孔４７と内側の保持部品４８に取付け接続固定している。
【０１１９】
また、上面パネル２３、底面パネル２４、左右の側面パネル２５の背面パネル２６側の端部と、背面パネル２６の外板３５とを、各パネルの外板同士接続する４隅部のコーナー保持板５７と、辺長部の辺長部保持板５８とを背面部に設置している。
【０１２０】
さらに、冷蔵庫２１は、断熱箱体２８における扉２９と対向する貯蔵室２７の開口部の外周部部分の上面パネル２３と、底面パネル２４と、左右の側面パネル２５に内側面から熱交換可能に当接する高温冷媒循環用外周パイプ５９を断熱材２２内に埋設している。
【０１２１】
また、断熱箱体２８の貯蔵室２７開口部の前面を覆う断熱材２２入りの扉２９を断熱箱体２８に取り付けられたヒンジ６０を介して開閉するように設置されている。扉２９には、貯蔵室２７開口部の外周部分に当接する位置に柔軟材料で磁石を内蔵した冷気シール用ガスケット６１と、冷気シール用ガスケット６１より内側に扉裏板６２を設けている。
【０１２２】
貯蔵室２７には、貯蔵室棚６３が貯蔵室２７左右壁面の受け部に貯蔵室２７と空間を保って設置されている。また、貯蔵室２７奥面には冷却部収納室３１の冷気吐出口３４と同じ高さ位置に冷気循環用ファン６４が設けられている。
【０１２３】
冷蔵庫２１下部の冷却機能部品収納箱３０には、圧縮機６５と、圧縮機６５の上に蒸発皿６６と、凝縮器６７と、膨張機構としてのキャピラリーチューブと、凝縮器冷却ファン６８と、冷却制御盤６９が設置されている。
【０１２４】
そして、圧縮機６５、凝縮器６７、高温冷媒循環用外周パイプ５９、キャピラリーチューブ、蒸発器３３は順次環状に連接され、貯蔵室２７を冷却する冷却手段としての冷凍サイクル（蒸気圧縮式の冷凍システム）を形成する。
【０１２５】
以上のように構成された本実施の形態の冷蔵庫について、以下その動作を説明する。
【０１２６】
冷却制御盤６９部の電源の投入と同時に、圧縮機６５の起動により冷凍サイクルを動作させ、蒸発器３３により冷却を行う。このとき冷気循環用ファン６４により、貯蔵室２７の空気を冷気吸入口３２を通して蒸発器３３を通し冷気吐出口３４から貯蔵室２７内に循環させ４℃近くまで冷却を行う。
【０１２７】
食品を冷却する場合、まず、食品を貯蔵室２７内の貯蔵室棚６３に載置して扉２９を閉止すると、扉２９が扉開閉検知手段を作動させ、冷気循環用ファン６４を回転させて、冷気が冷気吐出口３４から貯蔵室２７内に流入して、食品は冷気で覆われる。そして、蒸発器３３で冷却された冷気は、貯蔵室２７前面開口の外周部分を冷気シール用ガスケット６１付き扉２９により冷気洩れはなくなる。
【０１２８】
従って、貯蔵室２７内の食品は冷却が行われる。そのため、昇温のない良好な状態で食品の貯蔵を行うことができる。
【０１２９】
本実施の形態の冷蔵庫では、断熱材２２入りの上面パネル２３、底面パネル２４、左右の側面パネル２５、背面パネル２６を組合せ前面を開口した断熱箱体２８の貯蔵室２７は、各断熱材入りパネル組合せ部を粘着性シール材５５の塗布により、シールをする。
【０１３０】
その結果、断熱パネル組合せ部の変形による隙間を防いでいるため、冷却部収納室３１内の蒸発器３３で冷却された冷気の洩れはなくなり、さらに、貯蔵室２７を通り、貯蔵室２７から冷却部収納室３１に還り貯蔵室２７を冷却する冷気循環量の減少を押さえることができるため、貯蔵室２７内の冷却低下を防ぐことが可能となる。
【０１３１】
また、前面を開口した断熱箱体２８の貯蔵室２７は、断熱材２２入りの上面パネル２３、底面パネル２４、左右の側面パネル２５、背面パネル２６を組合せし、組み立てする配置としているため、断熱材２２入りの上面パネル２３、底面パネル２４、左右の側面パネル２５、背面パネル２６の外形寸法を変えることにより断熱箱体２８の貯蔵室２７を自由に造ることができ、各パネルの断熱材２２を注入発泡する時の冶具も簡単にでき、また、冶具の外形寸法を変えることも簡単にすることができるため、加工し易く、多種類の大きさに対応し易く、製造コストを低減することが可能となる。
【０１３２】
また、柔軟材料で磁石を内蔵した冷気シール用ガスケット６１により扉２９を貯蔵室２７開口部の外周部分の位置に当接させることができるため、貯蔵室２７からの冷気洩れをなくせる。
【０１３３】
本実施の形態の冷蔵庫では、冷却用の冷媒は、圧縮機６５により圧縮され、高温となり凝縮器６７に送り出され、高温冷媒循環用外周パイプ５９、キャピラリーチューブで減圧され、蒸発器３３を経て、圧縮機６５へと還る。
【０１３４】
その結果、高温冷媒循環用外周パイプ５９を上面パネル２３、底面パネル２４、左右の側面パネル２５の断熱材２２内へ設置した外側面は、高温冷媒により加熱される。
【０１３５】
このため、貯蔵室２７からの熱伝導により、上面パネル２３、底面パネル２４、左右の側面パネル２５の外側面が冷やされる影響を押さえることができるため、断熱箱体２８への結露を防ぐことが可能となる。
【０１３６】
以上のように本実施の形態の冷蔵庫は、前面を開口する貯蔵室２７が形成され外板３５と内板３６と、外板３５と内板３６の外周部段差部４４に仕切り板７０と、外板３５と内板３６との間のスペーサー３７とを一体発泡した断熱材２２入りの上面パネル２３と、底面パネル２４と、左右の側面パネル２５と、背面パネル２６とを組合せた断熱箱体２８と、貯蔵室２７の開口部を開閉する扉２９と、貯蔵室２７を冷却する冷却手段としての冷凍サイクル（蒸気圧縮式の冷凍システム）の蒸発器３３とを備えた冷蔵庫２１において、上面パネル２３と、底面パネル２４は、外板３５には、前面側に内板３６を挿入する溝状の折り曲げ部３８と、左右と背面側端部には折り曲げた外板３９のコの字状折り曲げ部４０と、コの字状折り曲げ部４０に外板３５の表面からの貫通孔４１とを備え、コの字状折り曲げ部４０内に貫通孔４１と同じ位置に設置した内部が空洞の保持ピース４２を設け、また、外板３５より幅の狭いプラスチック製の内板３６には、前面側に外板３５の溝状の折り曲げ部３８に挿入するフランジ部４３と、左右と背面側端部は平面とで一体に設けられている。
【０１３７】
また、左右の側面パネル２５と、背面パネル２６は、外板３５には、前面側に内板３６を挿入する溝状の折り曲げ部３８と、左右の側面パネル２５の背面側端部には折り曲げた外板３９のコの字状折り曲げ部４０と、コの字状折り曲げ部４０に外板３５の表面からの貫通孔４１とを備え、コの字状折り曲げ部４０内に貫通孔４１と同じ位置に設置した内部が空洞の保持ピース４２を設け、左右の側面パネル２５の上下端部と、背面パネル２６の上下左右端部には折り曲げた外板３９のＬ字状折り曲げ部４６を設け、Ｌ字状折り曲げ部４６に孔４７と内側には保持部品４８を備え、また、外板３５より幅の狭いプラスチック製の内板３６には、前面側に外板３５の溝状の折り曲げ部３８に挿入するフランジ部４３と、左右の側面パネル２５の背面側端部は平面と、上下および背面パネル２６の上下左右端部には折り曲げ部７１とを一体に設けられ、外板３５と内板３６の外周部にプラスチック製の薄板をＺ型に曲げ１箇所の隅に溝４５を設けた仕切り板７０で段差部４４を形成し、仕切り板７０を上面パネル２３と、底面パネル２４と、左右の側面パネル２５と、背面パネル２６の外板３５端部の折り曲げた外板３９のコの字状折り曲げ部４０と、Ｌ字状折り曲げ部４６と、内板３６端部の平面部と、折り曲げ部７１とに当接し、外板３５の溝状の折り曲げ部３８内にシールフォーム４９とを設けたものである。
【０１３８】
なお、図１１および図１２に示すように、段差部４４を形成する仕切り板７０に代わり、フィルム状のシート７２にしても良く、上面パネル２３と、底面パネル２４と、左右の側面パネル２５と、背面パネル２６の外板３５と内板３６の外周部に、フィルム状のシート７２で段差部４４を形成し、仕切り板７０を上面パネル２３と、底面パネル２４と、左右の側面パネル２５と、背面パネル２６の外板３５端部の折り曲げた外板３９のコの字状折り曲げ部４０と、Ｌ字状折り曲げ部４６と、内板３６端部の平面部と、折り曲げ部７１とに当接し、断熱材２２発泡冶具により、段差部４４隅の溝４５を形成し設けたものである。
【０１３９】
なお、図１４および図１５に示すように、段差部４４を形成する仕切り板７０に代わりフィルム状のシート７２、および、パネル組立てによる内板３６同士の接合から内板３６に挿入したシールサッシュ７３と内板３６の接合にしても良く、上面パネル２３と、底面パネル２４と、左右の側面パネル２５と、背面パネル２６の外板３５と内板３６の外周部に、フィルム状のシート７２で段差部４４を形成し、仕切り板７０を上面パネル２３と、底面パネル２４と、左右の側面パネル２５と、背面パネル２６の外板３５端部の折り曲げた外板３９のコの字状折り曲げ部４０と、Ｌ字状折り曲げ部４６と、上面パネル２３と、底面パネル２４と、左右の側面パネル２５の背面側の内板３６端部の平面部と、左右の側面パネル２５の内板３６上下端部の平面部に挿入したシールサッシュ７３と、背面パネル２６の内板３６端部の平面部に挿入したシールサッシュ７３とに当接し、断熱材２２発泡冶具により、段差部４４隅の溝４５を形成し設けたものである。
【０１４０】
本実施の形態の冷蔵庫では、上面パネル２３と、底面パネル２４の外板３５は、前面側に内板３６を挿入する溝状の折り曲げ部３８と、左右と背面側端部に折り曲げた外板３９のコの字状折り曲げ部４０と、コの字状折り曲げ部４０に外板３５の表面からの貫通孔４１と、コの字状折り曲げ部４０内に貫通孔４１と同じ位置に内部が空洞の保持ピース４２を設置し、外板３５より幅の狭いプラスチック製の内板３６は、前面側に外板３５の溝状の折り曲げ部３８に挿入するフランジ部４３と、左右と背面側端部は平面とし、左右の側面パネル２５と、背面パネル２６は、外板３５は、前面側に内板３６を挿入する溝状の折り曲げ部３８と、左右の側面パネル２５の背面側端部に折り曲げた外板３９のコの字状折り曲げ部４０と、コの字状折り曲げ部４０に外板３５の表面からの貫通孔４１と、コの字状折り曲げ部４０内に貫通孔４１と同じ位置に内部が空洞の保持ピース４２を設置し、左右の側面パネル２５の上下端部と、背面パネル２６の上下左右端部は折り曲げた外板３９のＬ字状折り曲げ部４６と、Ｌ字状折り曲げ部４６に孔４７と内側に保持部品４８取付けし、外板３５より幅の狭いプラスチック製の内板３６は、前面側に外板３５の溝状の折り曲げ部３８に挿入するフランジ部４３と、左右の側面パネル２５の背面側端部は平面と、上下および背面パネル２６の上下左右端部には折り曲げ部７１とを一体とし、外板３５と内板３６の外周部にプラスチック製の薄板をＺ型に曲げ１箇所の隅に溝４５を設けた仕切り板７０で段差部４４を形成し、仕切り板７０を上面パネル２３と、底面パネル２４と、左右の側面パネル２５と、背面パネル２６の外板３５端部の折り曲げた外板３９のコの字状折り曲げ部４０と、Ｌ字状折り曲げ部４６と、内板３６端部の平面部と、折り曲げ部７１とに当接し、外板３５の溝状の折り曲げ部３８内にシールフォーム４９とを設けシールし、スペーサー３７により外板３５と内板３６の隙間を一定としたので、外板３５と内板３６の組合せが簡単にでき、断熱材２２との一体発泡時外板３５と内板３６合わせ部から断熱材２２の洩れを防ぎ、外板３５と内板３６共フラットを多くでき、断熱材２２を注入発泡する時の冶具も簡単にでき、組み立て易く、加工し易くなり、製造コストを低減できる。
【０１４１】
また、貯蔵室２７側の内板３６と仕切り板７０はプラスチック製により冷却による熱伝導を減らすことができ、仕切り板７０の段差部４４で沿面距離を多く取れることにより内板３６と仕切り板７０から外板３５への熱伝導を減らすことができるため、外板３５への結露を防止して、温度の安定化と錆や腐食の防止を図ることができる。
【０１４２】
なお、上面パネル２３と、底面パネル２４と、左右の側面パネル２５と、背面パネル２６の外板３５と内板３６の外周部に、フィルム状のシート７２で段差部４４を形成し、仕切り板７０を上面パネル２３と、底面パネル２４と、左右の側面パネル２５と、背面パネル２６の外板３５端部の折り曲げた外板３９のコの字状折り曲げ部４０と、Ｌ字状折り曲げ部４６と、内板３６端部の平面部と、折り曲げ部７１とに当接し、断熱材２２発泡冶具により、段差部４４隅の溝４５を形成したので、外板３５と内板３６の組合せが簡単にでき、断熱材２２との一体発泡時外板３５と内板３６合わせ部から断熱材２２の洩れを防ぎ、外板３５と内板３６共フラットを多くでき、段差部４４をフィルム状のシート７２により形成でき、断熱材２２を注入発泡する時の冶具も簡単にでき、組み立て易く、加工し易くなり、金型を必要とせず、製造コストを低減できる。
【０１４３】
また、貯蔵室２７側の内板３６とフィルム状のシート７２はプラスチック製により冷却による熱伝導を減らすことができ、フィルム状シート７２の段差部４４で沿面距離を多く取れることにより内板３６とフィルム状シート７２から外板３５への熱伝導を減らすことができるため、外板への結露を防止して、温度の安定化と錆や腐食の防止を図ることができる。
【０１４４】
なお、上面パネル２３と、底面パネル２４と、左右の側面パネル２５と、背面パネル２６の外板３５と内板３６の外周部に、フィルム状のシート７２で段差部４４を形成し、仕切り板７０を上面パネル２３と、底面パネル２４と、左右の側面パネル２５と、背面パネル２６の外板３５端部の折り曲げた外板３９のコの字状折り曲げ部４０と、Ｌ字状折り曲げ部４６と、上面パネル２３と、底面パネル２４と、左右の側面パネル２５の背面側の内板３６端部の平面部と、左右の側面パネル２５の内板３６上下端部の平面部に挿入したシールサッシュ７３と、背面パネル２６の内板３６端部の平面部に挿入したシールサッシュ７３とに当接し、断熱材２２発泡冶具により、段差部４４隅の溝４５を形成したので、外板３５と内板３６の組合せが簡単にでき、断熱材２２との一体発泡時外板３５と内板３６合わせ部から断熱材２２の洩れを防ぎ、外板３５と内板３６共フラットを多くでき、段差部４４をフィルム状のシート７２により形成でき、断熱材２２を注入発泡する時の冶具も簡単にでき、組み立て易く、加工し易くなり、金型を必要とせず、製造コストを低減できる。
【０１４５】
また、貯蔵室２７側の内板３６とフィルム状のシート７２はプラスチック製により冷却による熱伝導を減らすことができ、フィルム状シート７２の段差部４４で沿面距離を多く取れることにより内板３６とフィルム状シート７２から外板３５への熱伝導を減らすことができるため、外板への結露を防止して、温度の安定化と錆や腐食の防止を図ることができる。また、パネル組立て時、内板３６同士の接合部の隙を隠すことができ、外観の見映え向上を図ることができる。
【０１４６】
以上のように本実施の形態の冷蔵庫は、上面パネル２３と、底面パネル２４と、左右の側面パネル２５と、背面パネル２６の断熱材２２内に、真空断熱材５０を外板３５の裏面側に当て、貯蔵室２７内部の部品を取付ける内板３６の凹部５１の先端を真空断熱材５０に当接して外板３５裏面側に真空断熱材５０を取付け固定し、内板３６と真空断熱材５０との間を断熱材２２とで一体に発泡し設け、また、上面パネル２３と、底面パネル２４と、左右の側面パネル２５と、背面パネル２６の断熱材２２内に、真空断熱材５０を外板３５のコの字状折り曲げ部４０の貫通孔４１と同じ位置に設置した内部が空洞の保持ピース４２との間に、真空断熱材５０の外被材５２で真空封入する外周溶着部５３の取付け孔５４を合わせ、真空断熱材５０と外周溶着部５３共に外板３５裏面側に固定し、内板３６と真空断熱材５０との間を断熱材２２と一体に発泡し設けたものである。
【０１４７】
本実施の形態の冷蔵庫では、上面パネル２３と、底面パネル２４と、左右の側面パネル２５と、背面パネル２６の断熱材２２内に、内板３６の凹部５１の先端を真空断熱材５０に当接して外板３５裏面側に真空断熱材５０を取付け固定し、また、真空断熱材５０を外板３５のコの字状折り曲げ部４０の貫通孔４１と同じ位置に設置した内部が空洞の保持ピース４２との間に、真空断熱材５０の外周溶着部５３の取付け孔５４を合わせ、真空断熱材５０と外周溶着部５３共に外板３５裏面側に固定し、内板３６と、真空断熱材５０との間を断熱材２２と一体に発泡したので、断熱材２２は真空断熱材５０により断熱性能を向上でき、貯蔵室２７内への侵入熱量を減らすことができるため、吸熱量減により冷却消費電力量を減らすことができ、節電を図ることができる。
【０１４８】
以上のように本実施の形態の冷蔵庫は、断熱材２２入りの上面パネル２３、底面パネル２４、左右の側面パネル２５、背面パネル２６の、パネル端部段差部４４隅の溝４５に粘着性シール材５５を塗布し、パネル端部の段差部４４がパネル端部に載り上がる組合せの上面パネル２３と、底面パネル２４を、パネル端部が段差部４４内に組合せの左右の側面パネル２５と、背面パネル２６を、パネル端部の段差部４４がパネル端部に載り上がる組合せとパネル端部が段差部４４内に組合せの左右の側面パネル２５を、各パネル端部の段差部４４同士組合せ、パネル端部の段差部４４がパネル端部に載り上がる組合せのパネル端部の貫通孔４１と、内部が空洞の保持ピース４２内に連結部品５６を挿入し、パネル端部が段差部４４内に組合せのパネル端部の孔４７と内側の保持部品４８に取付け接続固定し、上面パネル２３、底面パネル２４、左右の側面パネル２５の背面パネル２６側の端部と、背面パネル２６の外板３５とを、各パネルの外板３５同士接続する４隅部のコーナー保持板５７と、辺長部の辺長部保持板５８とを背面部に設けている。
【０１４９】
本実施の形態の冷蔵庫では、断熱材２２入りの上面パネル２３、底面パネル２４、左右の側面パネル２５、背面パネル２６の、パネル端部段差部４４同士を組合せし、段差部４４隅の溝４５内に粘着性シール材５５を塗布したので、段差部４４面のシールができ、貯蔵室２７内からの冷気洩れを防げるため、外部から貯蔵室２７内への熱侵入を防止できる。
【０１５０】
また、パネル端部を組合せし、パネル端部の貫通孔４１と内部が空洞の保持ピース４２からもう一方のパネル端部の保持部品４８に連結部品５６で固定し、各パネル背面の外板３５同士を４隅部と辺長部にコーナー保持板５７と辺長部保持板５８とで固定したので、パネル端部段差部４４の隙を防ぎ、貯蔵室２７内の冷却によるパネル端部段差部４４の変形を防止でき、前面を開口した断熱箱体２８の歪みを防ぐことができるため、大きな断熱箱体２８も造り易く、冷蔵庫内の温度の安定化を図ることができる。
【０１５１】
以上のように本実施の形態の冷蔵庫は、断熱材２２入りの上面パネル２３、底面パネル２４、左右の側面パネル２５、背面パネル２６において、端部を折り曲げた外板３９と、端部に段差部４４と、段差部４４の隅に溝４５とを一体に設けた外板３５より幅の狭いプラスチック製の内板３６と、外板３５と内板３６との間にスペーサー３７と、断熱材２２とで一体に形成したものであり、内板３６の端部に段差部４４と、段差部４４の隅に溝４５とを一体に設けたので、外板３５と内板３６の２部品だけで断熱材２２入りのパネルを形成でき、段差部４４隅の溝４５により粘着性シール材５５の塗布が容易にでき、作業がし易く、部品の低減を図れる。また、内板３６をプラスチック製により端部の段差部４４から外板３５への熱伝導を防ぎ、外板３５への結露を防止して、錆や腐食の防止を図ることができる。
【０１５２】
また、段差部４４同士の組合せにより組合せ部の沿面距離を多く取れ強度を確保でき、段差部４４同士の組合せにより段差部４４隅の溝４５を２個所設けることができ、段差部４４隅の溝４５部への粘着性シール材５５の塗布により庫内からの冷気洩れを防ぎ、冷蔵庫内温度の安定化を図ることができる。
【０１５３】
なお、断熱材２２入りの上面パネル２３、底面パネル２４、左右の側面パネル２５、背面パネル２６において、端部を折り曲げた外板３９と、外板３５より幅の狭い内板３６と、外板３５と内板３６の外周部にプラスチック製の薄板をＺ型に曲げ１箇所の隅に溝４５とを設けた仕切り板７０と、外板３５と内板３６との間にスペーサー３７と、断熱材２２とで、外板３５と内板３６の端部に仕切り板７０により段差部４４とを一体に形成したものであり、外板３５と内板３６の外周部にプラスチック製のＺ型に曲げ１箇所の隅に溝４５の付いた薄板の仕切り板７０で端部の段差部４４を設け、プラスチック製の段差部４４にしたので、段差部４４隅の溝４５により粘着性シール材５５の塗布が容易にでき、組み立て易く、製造コストを低減できる。仕切り板７０をプラスチック製により端部の段差部４４から外板３５への熱伝導を防ぎ、外板３５への結露を防止して、錆や腐食の防止を図ることができる。
【０１５４】
また、段差部４４同士の組合せにより組合せ部の沿面距離を多く取れ強度を確保でき、段差部４４同士の組合せにより段差部４４隅の溝４５を２個所設けることができ、段差部４４隅の溝４５部への粘着性シール材５５の塗布により庫内からの冷気洩れを防ぎ、冷蔵庫内温度の安定化を図ることができる。
【０１５５】
なお、断熱材２２入りの上面パネル２３、底面パネル２４、左右の側面パネル２５、背面パネル２６において、端部を折り曲げた外板３９と、外板３５より幅の狭い内板３６と、外板３５と内板３６の外周部にフィルム状のシート７２と、外板３５と内板３６との間にスペーサー３７と、断熱材２２とで、内板３６外周部のフィルム状のシート７２を断熱材２２発泡時の押さえ冶具により外板３５と内板３６との端部に段差部４４と、段差部４４の隅に溝４５とを一体に形成したものであり、外板３５と内板３６の外周部にフィルム状のシート７２と、断熱材２２発泡時の押さえ冶具により外板３５と内板３６外周部の端部に段差部４４と、段差部４４を安価なフィルム状のシート７２とし、段差部４４の隅に溝４５を一体にフィルム状のシート７２を介して形成したので、段差部４４隅の溝４５により粘着性シール材５５の塗布が容易にでき、金型を必要とせず、組み立て易く、製造コストを低減できる。
【０１５６】
また、段差部４４がフィルム状のシート７２製により端部の段差部４４から外板３５への熱伝導を防ぎ、外板３５への結露を防止して、錆や腐食の防止を図ることができる。また、段差部４４同士の組合せにより組合せ部の沿面距離を多く取れ強度を確保でき、段差部４４同士の組合せにより段差部４４隅の溝４５を２個所設けることができ、段差部４４隅の溝４５部への粘着性シール材５５の塗布により庫内からの冷気洩れを防ぎ、冷蔵庫内温度の安定化を図ることができる。
【０１５７】
なお、断熱材２２入りの上面パネル２３、底面パネル２４、左右の側面パネル２５、背面パネル２６において、端部を折り曲げた外板３９と、外板３５より幅の狭い内板３６と、内板３６に挿入した各パネル合わせ部目隠し用のシールサッシュ７３と、外板３５と内板３６に挿入したシールサッシュ７３の外周部にフィルム状のシート７２と、外板３５と内板３６との間にスペーサー３７と、断熱材２２とで、内板３６に挿入したシールサッシュ７３外周部のフィルム状のシート７２を断熱材２２発泡時の押さえ冶具により外板３５と内板３６との端部に段差部４４と、段差部４４の隅に溝４５とを一体に形成したものであり、外板３５と、内板３６に挿入した各パネル合わせ部目隠し用のシールサッシュ７３と、内板３６に挿入したシールサッシュ７３の外周部にフィルム状のシート７２と、断熱材２２発泡時の押さえ冶具により外板３５と内板３６に挿入したシールサッシュ７３の外周部の端部に段差部４４と、段差部４４を安価なフィルム状のシート７２とし、段差部４４の隅に溝４５を一体にフィルム状のシート７２を介して形成したので、段差部４４隅の溝４５により粘着性シール材５５の塗布が容易にでき、金型を必要とせず、組み立て易く、製造コストを低減できる。
【０１５８】
また、段差部４４がフィルム状のシート７２製により端部の段差部４４から外板３５への熱伝導を防ぎ、外板３５への結露を防止して、錆や腐食の防止を図ることができる。また、段差部４４同士の組合せにより組合せ部の沿面距離を多く取れ強度を確保でき、段差部４４同士の組合せにより段差部４４隅の溝４５を２個所設けることができ、段差部４４隅の溝４５部への粘着性シール材５５の塗布により庫内からの冷気洩れを防ぎ、冷蔵庫内温度の安定化を図ることができる。また、シールサッシュ７３により各パネル合わせ部目隠しとしたので、各パネル合わせ部の隙を防止しでき、外観の見映え向上を図ることができる。
【産業上の利用可能性】
【０１５９】
本発明は、断熱材入りのパネル端部の段差部同士を組合せしながら段差部の冷気シールによって断熱箱体を形成する冷蔵庫であるので、安価で丈夫で冷気漏れが少ないパネル組み冷蔵庫を必要とする用途に適している。
【図面の簡単な説明】
【０１６０】
【図１】本発明の実施の形態１から２の冷蔵庫の外観斜視図
【図２】同実施の形態の冷蔵庫を左右に切断した場合の左側を右から見た縦断面図
【図３】同実施の形態の冷蔵庫におけるパネルの前部を示す要部縦断面図
【図４】同実施の形態の冷蔵庫における上下左右４コーナーのパネル組合せ部を示す要部縦断面図
【図５】同実施の形態の冷蔵庫における背面パネル組合せ外周部を示す要部縦断面図
【図６】同実施の形態による冷蔵庫のパネルを分解した場合の外観斜視図
【図７】同実施の形態による冷蔵庫のパネルを組合せした場合の外観斜視図
【図８】同実施の形態による冷蔵庫の背面補強板を分解した場合の外観斜視図
【図９】同実施の形態による冷蔵庫の上面パネルを前後に切断した場合の後ろ側を前から見た縦断面図
【図１０】同実施の形態の冷蔵庫における真空断熱材の外観斜視図
【図１１】同実施の形態の冷蔵庫における上下左右４コーナーのパネル組合せ部を示す要部縦断面図
【図１２】同実施の形態の冷蔵庫における背面パネル組合せ外周部を示す要部縦断面図
【図１３】同実施の形態の冷蔵庫におけるパネル段差部の仕切り板を切断した要部外観斜視図
【図１４】同実施の形態の冷蔵庫における上下左右４コーナーのパネル組合せ部を示す要部縦断面図
【図１５】同実施の形態の冷蔵庫における背面パネル組合せ外周部を示す要部縦断面図
【図１６】従来の冷蔵庫の断熱箱体の一部分解斜視図
【図１７】従来の冷蔵庫の断熱箱体の左右の側面パネルと底面パネルとの結合を示す要部正面図
【図１８】従来の冷蔵庫の断熱箱体の左右の側面パネルと背面パネルとの結合を示す要部平面図
【符号の説明】
【０１６１】
２２    断熱材
２３    上面パネル
２４    底面パネル
２５    左右の側面パネル
２６    背面パネル
３５    外板
３６    内板
３７    スペーサー
３９    折り曲げた外板
４０    コの字状折り曲げ部
４１    貫通孔
４２    保持ピース
４４    段差部
４５    溝
４６    Ｌ字状折り曲げ部
４７    孔
４８    保持部品
５０    真空断熱材
５１    凹部
５３    外周溶着部
５４    取付け孔
５５    粘着性シール材
５６    連結部品
５７    コーナー保持板
５８    辺長部保持板
７０    仕切り板
７２    シート
７３    シールサッシュ
【図１】
2005180718.tif 000003
【図２】
2005180718.tif 000004
【図３】
2005180718.tif 000005
【図４】
2005180718.tif 000006
【図５】
2005180718.tif 000007
【図６】
2005180718.tif 000008
【図７】
2005180718.tif 000009
【図８】
2005180718.tif 000010
【図９】
2005180718.tif 000011
【図１０】
2005180718.tif 000012
【図１１】
2005180718.tif 000013
【図１２】
2005180718.tif 000014
【図１３】
2005180718.tif 000015
【図１４】
2005180718.tif 000016
【図１５】
2005180718.tif 000017
【図１６】
2005180718.tif 000018
【図１７】
2005180718.tif 000019
【図１８】
2005180718.tif 000020